(57)【特許請求の範囲】
【請求項１】
第１部材と、
前記第１部材に第１方向から取り付けられた第２部材と、
線状のパッキング部と、該パッキング部の延びた方向に分かれて設けられて前記第１方向とは交差した第２方向に突出した複数の突出部とを有し、前記パッキング部が前記第１部材と前記第２部材との間に挟まれた弾性部と、
前記第２部材に設けられ、前記第１部材とは反対側から前記突出部に面した支持部と、
を有した電子機器。
【請求項２】
請求項１の記載において、
前記突出部と前記第１部材との間には、隙間が設けられた電子機器。
【請求項３】
請求項１または請求項２の記載において、
前記支持部は、前記突出部に対応した位置に部分的に設けられて前記第２部材から前記突出部に向いて突出した突起である電子機器。
【請求項４】
請求項３の記載において、
前記第１部材は、底面を含む溝が周縁部に設けられ、
前記弾性部は、前記溝に取り付けられ、
前記突起の先端部は、前記溝の内部に入り込み、前記溝の内部で前記突出部に面した電子機器。
【請求項５】
請求項１乃至請求項４のいずれかの記載において、
前記パッキング部は、前記第１部材の周縁部に沿って環状に延び、
前記複数の突出部は、前記パッキング部の内周面から前記パッキング部の内側に突出した電子機器。
【請求項６】
請求項１乃至請求項５のいずれかの記載において、
前記パッキング部は、該パッキング部の形状が直線状から変化した経路変化部を有し、
前記複数の突出部は、前記経路変化部の両側に分かれて位置した電子機器。
【請求項７】
請求項１乃至請求項３のいずれかの記載において、
前記第１部材は、底面を含む溝が周縁部に設けられ、
前記第２部材は、前記溝を覆い、
前記弾性部は、前記溝に取り付けられ、
前記支持部は、前記溝の底面とは反対側から前記突出部に面した電子機器。
【請求項８】
請求項７の記載において、
前記パッキング部は、前記溝の底面に接する第１端部と、前記第２部材に接する第２端部とを有し、前記突出部は、前記第２端部との間に段差部を有し、前記第２端部よりも前記溝の底面の近くに位置した電子機器。
【請求項９】
請求項８の記載において、
前記パッキング部の第２端部は、前記第２部材に近付くに従い細くなる楔形に設けられた電子機器。
【発明の詳細な説明】
【技術分野】
【０００１】
本発明の実施形態は、テレビジョン受像機を含む電子機器に関する。
【背景技術】
【０００２】
筐体のシーリング構造が提案されている。
【先行技術文献】
【特許文献】
【０００３】
【特許文献１】特開２００９−５４７２５号公報
【発明の概要】
【発明が解決しようとする課題】
【０００４】
電子機器は、組立性の向上が要望されている。
【０００５】
本発明の目的は、組立性の向上を図ることができる電子機器を提供することである。
【課題を解決するための手段】
【０００６】
実施形態によれば、電子機器は、第１部材と、前記第１部材に第１方向から取り付けられた第２部材と、弾性部と、支持部とを備える。前記弾性部は、線状のパッキング部と、該パッキング部の延びた方向に分かれて設けられて前記第１方向とは交差した第２方向に突出した複数の突出部とを有し、前記パッキング部が前記第１部材と前記第２部材との間に挟まれる。前記支持部は、前記第２部材に設けられ、前記第１部材とは反対側から前記突出部に面する。
【図面の簡単な説明】
【０００７】
【図１】第１実施形態に係るテレビジョン受像機を示す正面図。
【図２】図１中に示された表示ユニットを示す斜視図。
【図３】図１中に示された表示ユニットを分解して示す斜視図。
【図４】図３中に示されたシーリング部材を示す斜視図。
【図５】図１中に示された表示ユニットの断面図。
【図６】図１中に示された表示ユニットの断面図。
【図７】図３中に示されたベースの内面を示す平面図。
【図８】図７中に示されたベースの内面の一部を拡大して示す平面図。
【図９】図３中に示されたマスクの内面を示す斜視図。
【図１０】図９中に示されたマスクの内面の一部を拡大して示す斜視図。
【図１１】図１中に示された表示ユニットを分解して示す斜視図。
【図１２】図１１中に示されたスピーカモジュールの取付構造を示す斜視図。
【図１３】図１１中に示されたスピーカモジュールの取付構造を示す断面図。
【図１４】図１１中に示されたスピーカモジュールの取付構造を示す平面図。
【図１５】図１１中に示されたスピーカモジュールの第１位置を示す斜視図。
【図１６】図１１中に示されたスピーカモジュールの第２位置を示す斜視図。
【図１７】図１１中に示されたスピーカモジュールを示す斜視図。
【図１８】図１１中に示されたスピーカモジュールの取付方法の流れを示す図。
【図１９】第１実施形態に関連した取付構造を示す断面図。
【図２０】第１実施形態の構造が適用可能な電子機器を示す斜視図。
【図２１】第２実施形態に係るスピーカモジュールの第１位置を示す断面図。
【図２２】第２実施形態に係るスピーカモジュールの第２位置を示す断面図。
【図２３】第３実施形態に係るスピーカモジュールの第１位置を示す断面図。
【図２４】第３実施形態に係るスピーカモジュールの第２位置を示す断面図。
【図２５】第４実施形態に係るスピーカモジュールの取付構造を示す断面図。
【図２６】第５実施形態に係る押圧部品の取付構造を示す断面図。
【図２７】第６実施形態に係るテレビジョン受像機を示す斜視図。
【図２８】図２７中に示された筐体のＦ２８−Ｆ２８線に沿う断面図。
【図２９】図２７中に示された筐体の側壁周辺を示す平面図。
【図３０】図２７中に示された筐体の側壁周辺を筐体内部から見た斜視図。
【図３１】図２９中に示された支持部材の取付方法を示す斜視図。
【図３２】第７実施形態に係る支持部材の取付方法を示す斜視図。
【図３３】第８実施形態に係る支持部材の取付方法を示す断面図。
【図３４】第９実施形態に係る支持部材の取付方法を示す断面図。
【図３５】第１０実施形態に係る電子機器を分解して示す斜視図。
【図３６】図３５中に示された電子機器の側壁部分を示す斜視図。
【発明を実施するための形態】
【０００８】
以下、実施の形態について、図面を参照して説明する。なお本明細書では、手前側（ユーザ側）を前方向、ユーザから見て遠い側を後方向、ユーザから見て左側を左方向、ユーザから見て右側を右方向、ユーザから見て上方を上方向、ユーザから見て下方を下方向と定義する。さらに、複数の表現が可能な各要素について一つ以上の他の表現の例を付すことがあるが、これは他の表現が付されていない要素について異なる表現がされることを否定するものではないし、例示されていない他の表現がされることを制限するものでもない。
【０００９】
（第１実施形態）  
図１乃至図１８は、第１実施形態に係るテレビジョン受像機１を開示している。テレビジョン受像機１は、「電子機器」の一例である。なお本実施形態及び下記の実施形態に係る構造は、テレビジョン受像機に限らず、例えばノートブック型ポータブルコンピュータ（ノートＰＣ）やスレート型ポータブルコンピュータ（スレートＰＣ、タブレット）、携帯電話（スマートフォンを含む）、ゲーム機などを含む種々の電子機器に広く適用可能である。
【００１０】
図１に示すように、テレビジョン受像機１は、表示ユニット２（メインユニット）と、該表示ユニット２を支持するスタンド３（支持部）とを有する。表示ユニット２は、筐体４を有する。筐体４には、表示装置５及び回路基板６（図３参照）が収容されている。
【００１１】
表示装置５は、表示画面７を含む第１面５ａ（表示面）と、該第１面５ａとは反対側に位置した第２面５ｂ（背面）とを有する。第１面５ａには、タッチセンサ（タッチパネル）が設けられている。タッチセンサは、入力部（入力受付部、操作部）の一例である。
【００１２】
図１乃至図３に示すように、筐体４は、第１壁１１（後壁）と、第２壁１２（周壁、側壁）と、第３壁１３（前壁）とを有した扁平な箱状に形成されている。第１壁１１は、表示装置５及び回路基板６と略平行に延びている（略平行に広がる）。第１壁１１は、表示装置５の第２面５ｂ及び回路基板６に面する。
【００１３】
第３壁１３は、第１壁１１とは反対側に位置する。第３壁１３は、第１壁１１と略平行に延びている（略平行に広がっている）。第３壁１３は、表示装置５の第１面５ａに面する。表示装置５は、第１壁１１と第３壁１３との間に位置する。
【００１４】
第３壁１３は、表示画面７が露出する開口部１３ａが設けられている。第３壁１３には、例えば透光性のパネル１４が設けられている（図５参照）。パネル１４は、例えばガラス部材またはプラスチック部材である。パネル１４は、第３壁１３に支持され、開口部１３ａを覆う。表示画面７は、パネル１４を通して外部に露出されている。
【００１５】
第２壁１２は、第１壁１１及び第３壁１３とは交差した方向に延びている。第２壁１２は、筐体４の厚さ方向に延び、第１壁１１の端部（周端部、周縁部）と第３壁１３の端部（周端部、周縁部）とに亘る。第２壁１２は、例えば第１壁１１及び第３壁１３の全周に設けられている。なお、筐体４の厚さ方向とは、第１壁１１から第３壁１３（または第３壁１３から第１壁１１）に向かう方向である。
【００１６】
図３乃至図５に示すように、第３壁１３は、第１壁１１よりも大きい。このため、第２壁１２は、円弧状に形成されて第１壁１１の端部と第３壁１３の端部との間を繋いでいる。第２壁１２は、筐体４の外側に膨らむ曲面（表面、外面）を有する。第２壁１２は、第１壁１１から第３壁１３に向いて進むに従い筐体４の外側に広がる。
【００１７】
図３に示すように、筐体４は、ベース１５（下カバー、第１カバー、第１筐体部材、第１部材）と、マスク１６（上カバー、第２カバー、第２筐体部材、第２部材）とを有する。ベース１５は、第１壁１１と第２壁１２とを含む。マスク１６は、第３壁１３を含む。マスク１６がベース１５に取り付けられることで、筐体４が構成されている。
【００１８】
ベース１５は、椀状に形成され、第１壁１１と交差した方向（筐体４の厚さ方向、第１壁１１とは反対側）に開放されている（開口されている）。第２壁１２の内周面（後述の内面１２ａ）は、ベース１５の内部を外部に露出させる開口部１５ａを規定している。
【００１９】
図３に示すように、表示ユニット２の組立てでは、ベース１５の第１壁１１が外部載置面（例えば組立台）に置かれ、ベース１５の内部に部品を取り付けられ、マスク１６がベース１５に取り付けられる。このため、第１壁１１は、「下壁」又は「底壁」と呼称してもよい。第３壁１３は、「上壁」と呼称してもよい。なお以下では、説明の便宜上、第１壁１１を底壁１１、第２壁１２を側壁１２、及び第３壁１３を上壁１３、と読み替えて説明する。
【００２０】
本実施形態に係るテレビジョン受像機１は、例えば防水性を有する。このため、テレビジョン受像機１は、防水性を実現するために以下に示す種々の構造を有する。なおこれらの構造は、防水を目的としたものに限らず、他の目的で設けられてもよい。
【００２１】
（筐体のシーリング構造）  
まず、筐体４のシーリング構造について説明する。図３に示すように、ベース１５とマスク１６との間には、シーリング部材１７（弾性部、弾性部材、介在部材、閉塞部材、パッキング、部材、部品）が設けられている。シーリング部材１７の一例は、ガスケット（ケースガスケット）である。シーリング部材１７は、例えばゴム製である。シーリング部材１７は、ベース１５とマスク１６との間に挟まれ（圧縮され、変形され）、ベース１５とマスク１６との間を液密に塞ぐ。
【００２２】
詳しく述べると、図３乃至図５に示すように、筐体４の側壁１２は、内面１２ａ（内周面、第１面）と、外面１２ｂ（表面、外周面、第２面）と、取付面１２ｃ（接続面、支持面、第３面）とを有する。内面１２ａは、筐体４の内部に露出する。外面１２ｂは、内面１２ａとは反対側に位置し、筐体４の外部に露出する。
【００２３】
取付面１２ｃは、内面１２ａ及び外面１２ｂとは交差した方向に延び、内面１２ａと外面１２ｂとに亘る。取付面１２ｃは、第１壁１１と略平行である。取付面１２ｃは、マスク１６の端部（周端部、周縁部）に面する。すなわち、取付面１２ｃは、第１壁１１と交差した方向（例えば略直交した方向）で、マスク１６の端部に面する。取付面１２ｃは、マスク１６の端部に接し、マスク１６の端部を支持する。
【００２４】
取付面１２ｃは、例えばベース１５の全周に設けられている。取付面１２ｃには、シーリング部材１７が取り付けられる溝１８（取付部、支持部、保持部、収容部、係合部、凹部）が設けられている。溝１８は、マスク１６の端部に面し、マスク１６に覆われる。溝１８は、例えばベース１５の全周に設けられ、ベース１５の周端部（周縁部）に沿う環状（枠状）に形成されている。溝１８は、開口部１５ａの外側に位置し、開口部１５ａを囲む。
【００２５】
図５に示すように、溝１８は、底面１８ａ（支持面、取付面、奥部、第１面）、第１側面１８ｂ（第１起立面、第１周面、第２面）、及び第２側面１８ｃ（第２起立面、第２周面、第３面）を有する。底面１８ａは、取付面１２ｃと略平行である。底面１８ａは、第１端部と、該第１端部とは反対側に位置した第２端部とを有する。第１側面１８ｂは、底面１８ａの第１端部から起立し、底面１８ａの第１端部と取付面１２ｃとの間を繋ぐ。第２側面１８ｃは、底面１８ａの第２端部から起立し、底面１８ａの第２端部と取付面１２ｃとの間を繋ぐ。
【００２６】
図３及び図４に示すように、シーリング部材１７は、溝１８に対応した形状を有する。すなわち、シーリング部材１７は、ベース１５の周端部（周縁部）に沿う環状（枠状）に形成されている。シーリング部材１７は、溝１８に取り付けられる。シーリング部材１７は、開口部１５ａの外側に位置し、開口部１５ａを囲む。
【００２７】
図３乃至図５に示すように、シーリング部材１７は、パッキング部２１（介在部、閉塞部、遮断部、圧縮部、第１部分）と、複数の突出部２２（突起、鍔部、張出部、支持部、第２部分）とを有する。パッキング部２１は、線状に延びている。パッキング部２１は、シーリング部材１７の本体部を構成し、ベース１５の周端部に沿う環状（枠状）に形成されている。
【００２８】
パッキング部２１は、開口部１５ａの外側に位置し、開口部１５ａを囲む。パッキング部２１は、ベース１５とマスク１６との間に挟まれて、ベース１５とマスク１６との間で圧縮（圧縮変形）される。パッキング部２１は、ベース１５とマスク１６との間を液密に塞ぐ。
【００２９】
図５に示すように、パッキング部２１は、円形よりも五角形に近い断面を有する。パッキング部２１は、該パッキング部２１の厚さ方向に、第１端部２１ａと、第２端部２１ｂとを有する。第１端部２１ａは、溝１８の底面１８ａに面し、溝１８の底面１８ａに接する。第２端部２１ｂは、第１端部２１ａとは反対側に位置する。第２端部２１ｂは、マスク１６に面し、マスク１６に接する。
【００３０】
図５に示すように、第１端部２１ａは、２つの突起部と、その間に設けられた凹部とを有する。２つの突起部は、溝１８の底面１８ａに接し、溝１８の底面１８ａに支持される。２つの突起部の間に凹部が設けられているため、２つの突起部は、弾性変形しやすい。このため、第１端部２１ａは、溝１８の底面１８ａに密接（密着）しやすい。これは、テレビジョン受像機１の液密性（防水性）を高める。
【００３１】
第２端部２１ｂは、圧縮変形されていない状態では、楔形（山形）に形成されている。すなわち、第２端部２１ｂは、マスク１６に近付く従い細くなる。図６に示すように、第２端部２１ｂは、マスク１６に接し、マスク１６に支持される。第２端部２１ｂは、マスク１６によって押圧され、マスク１６の内面に沿って変形（弾性変形）される。これにより、第２端部２１ｂとマスク１６との間が確実に液密に塞がれる。ここで、第２端部２１ｂは、楔形に形成されているため弾性変形しやすい。このため、第２端部２１ｂはマスク１６に密接（密着）しやすい。これは、テレビジョン受像機１の液密性（防水性）を高める。
【００３２】
図３及び図４に示すように、突出部２２は、パッキング部２１に部分的に設けられている。複数の突出部２２は、パッキング部２１が延びた方向（パッキング部２１の周方向）に互いに離れている。
【００３３】
図５に示すように、パッキング部２１は、第１端部２１ａと第２端部２１ｂとに亘る側面２１ｃ（内周面、内面）を有する。側面２１ｃは、溝１８の第１側面１８ｂに面する。突出部２２は、側面２１ｃに設けられ、該側面２１ｃからパッキング部２１の内側に突出している。突出部２２は、溝１８の底面１８ａと略平行な方向に板状に延びている。
【００３４】
ここで、マスク１６がベース１５に取り付けられる方向（筐体４の厚さ方向）を、第１方向Ｄ１と定義する。さらに、第１方向Ｄ１とは交差した方向（例えば略直交した方向）を、第２方向Ｄ２と定義する。突出部２２は、第２方向Ｄ２に突出している。
【００３５】
図５に示すように、突出部２２は、側面２１ｃの略中央部から突出している。突出部２２と第２端部２１ｂとの間には、第１段差部２３ａが設けられている。このため、突出部２２は、第２端部２１ｂよりも、溝１８の底面１８ａの近くに位置する。突出部２２は、第２端部２１ｂよりも、第１端部２１ａの近くに位置する。換言すれば、突出部２２は、第２端部２１ｂよりも、取付面１２ｃ（マスク１６）離れている。
【００３６】
突出部２２と第１端部２１ａとの間には、第２段差部２３ｂが設けられている。このため、突出部２２は、第１端部２１ａよりも、マスク１６の近くに位置する。突出部２２は、第１端部２１ａよりも、第２端部２１ｂに近い。換言すれば、突出部２２は、第１端部２１ａよりも、溝１８の底面１８ａから離れている。突出部２２と溝１８の底面１８ａとの間には、隙間Ｃ１が設けられている。
【００３７】
シーリング部材１７が溝１８に取り付けられる時にシーリング部材１７（パッキング部２１）に捩れや倒れが生じると、突出部２２が溝１８の底面１８ａに接する。これにより、シーリング部材１７（パッキング部２１）の大きな捩れや倒れが抑制される。
【００３８】
図４に示すように、溝１８は、第１部分２５ａと、第２部分２５ｂとを有する。第１部分２５ａは、パッキング部２１の外形に合わせて設けられ、パッキング部２１が収容される。第２部分２５ｂは、突出部２２に対応している。第２部分２５ｂは、突出部２２の外形に合わせて設けられ、突出部２２が収容される。第２部分２５ｂに位置した溝１８の底面１８ａは、「突出部に面した第１部分」の一例である。
【００３９】
側壁１２は、第１領域２６ａ（第１部分）と、第２領域２６ｂ（第２部分）とを有する。第１領域２６ａは、突出部２２が設けられていない部分に対応している。第１領域２６ａは、パッキング部２１と略平行に延びている。第２領域２６ｂは、突出部２２に対応している。第２領域２６ｂは、第１領域２６ａに比べて、筐体４の内側に突出した隆起部２７（張出部、突出部）を有する。これにより、第２領域２６ｂの取付面１２ｃは、第１領域２６ａの取付面１２ｃに比べて広くなっている。溝１８の第２部分２５ｂは、上記幅が広くなった第２領域２６ｂの取付面１２ｃに設けられている。
【００４０】
図３に示すように、パッキング部２１は、４つのコーナー部２８（角部、円弧部、曲線部）と、この４つのコーナー部２８の間に延びた４つの直線部２９とを有する。また、パッキング部２１は、一つの直線部２９の途中に、筐体４の内側に折れ曲がった屈折部３０を有する。
【００４１】
コーナー部２８及び屈折部３０は、其々、パッキング部２１の形状が直線状から変化した経路変化部（非直線部）の一例である。複数の突出部２２は、上記経路変化部の両側に分かれて位置している。換言すれば、上記経路変化部は、複数の突出部２２の間に位置する。また、いくつかの突出部２２は、直線部２９に設けられている。なお、突出部２２は、コーナー部２８の途中や屈折部３０の途中に設けられてもよい。
【００４２】
図４に示すように、側壁１２の内面１２ａには、マスク１６が係合する係合部３１（受け部、爪部、支持部、取付部）が設けられている。突出部２２は、例えば係合部３１の近傍に設けられている。係合部３１は、側壁１２の第１領域２６ａ（すなわち隆起部２７がが存在しない領域）に設けられている。
【００４３】
係合部３１は、側壁１２の内面１２ａと略平行な方向（内面１２ａに沿う方向）で、隆起部２７と直線上に並んでいる。換言すれば、係合部３１の一部は、隆起部２７の一部よりも、側壁１２の外面１２ｂの近くに位置する。係合部３１と隆起部２７とが側壁１２の互いに別の領域に設けられていることで、側壁１２を薄くすることができる。これは、テレビジョン受像機１の小型化に寄与する。
【００４４】
図５、図６、図９、図１０に示すように、マスク１６の内面は、平面部３２（押圧部、接触部、接続部、第１部分）と、複数の支持部３３（突起、突出部、支持部、第２部分）とを有する。平面部３２は、マスク１６の全周に設けられている。平面部３２は、パッキング部２１に面し、パッキング部２１に接触する。平面部３２は、溝１８の底面１８ａに向けてパッキング部２１を押圧し、パッキング部２１を支持する。これにより、パッキング部２１は、平面部３２と溝１８の底面１８ａとの間で圧縮される。
【００４５】
支持部３３は、シーリング部材１７の突出部２２に対応した位置に部分的に設けられている。複数の支持部３３は、マスク１６の周端部の周方向に分かれて設けられている。支持部３３は、例えばマスク１６の内面に設けられた突起（リブ）である。支持部３３は、マスク１６から突出部２２に向いて突出し、突出部２２に面する。支持部３３は、溝１８の底面１８ａとは反対側から突出部２２に面する。支持部３３は、「突出部に向かい合う第２部分」の一例である。支持部３３の先端部は、溝１８の内部に入り込み、溝１８の内部で突出部２２に面する。
【００４６】
図５に示すように、支持部３３と平面部３２との間には、第３段差部３３ａが設けられている。第３段差部３３ａの段差幅ｔ１（厚さ）は、シーリング部材１７の第１段差部２３ａの段差幅ｔ２（厚さ）よりも小さい。
【００４７】
図６に示すように、支持部３３は、突出部２２から僅かに離れるか、または突出部２２に軽く接する。支持部３３は、突出部２２に向かい合うことで、シーリング部材１７（パッキング部２１）の捩れや倒れを規制する。すなわち、シーリング部材１７に捩れや倒れが生じ、溝１８の底面１８ａから離れる方向に突出部２２が移動する場合、支持部３３は、突出部２２を押さえ、シーリング部材１７（パッキング部２１）の捩れや倒れを抑制する。支持部３３は、マスク１６がベース１５に取り付けられる時にマスク１６とベース１５との間で生じるシーリング部材１７（パッキング部２１）の捩れや倒れを抑制する。
【００４８】
このような構成によれば、電子機器の組立性の向上を図ることができる。  
ベースとマスクとの間に介在されるシーリング部材は、マスクをベースに取り付ける時に、マスクとベースとの間で潰される（圧縮変形される）。これにより、マスクとベースとの間の液密が確保される。
【００４９】
ここで、マスクがベースに真っ直ぐ上から取り付けられる場合は、シーリング部材に捩れや倒れは生じにくい。しかしながら、組立作業の誤差や作業者の習熟度によって、ベースに対して斜めに傾いた方向からマスクが取り付けられることが想定される。この場合、マスクとベースとの間でシーリング部材に捩れや倒れが生じやすい。シーリング部材に捩れや倒れが生じると、マスクとベースとの間でシーリング部材が適切に潰されず、シーリング部材の機能が十分に発揮できなくなる可能性がある。
【００５０】
そこで本実施形態では、テレビジョン受像機１のシーリング部材１７は、パッキング部２１と、該パッキング部２１に部分的に設けられた突出部２２とを有する。ベース１５は、突出部２２に面した第１部分（例えば溝１８の底面１８ａ）を有する。マスク１６は、前記第１部分とは反対側から突出部２２に面した第２部分（例えば支持部３３）を有する。このような構成によれば、ベース１５やマスク１６によって突出部２２が支持され、パッキング部２１が回転しにくい。これにより、シーリング部材１７の捩れや倒れを抑制し、テレビジョン受像機１の組立性の向上を図ることができる。
【００５１】
さらに言えば、上記のような支持部３３を設けることで、パッキング部２１の幅Ｗ（横幅）（図４参照）を小さくしても（薄くしても）、シーリング部材１７に捩れや倒れが生じにくくなる。このため、幅Ｗが小さなシーリング部材１７を採用することができる。これは、テレビジョン受像機１の小型化に寄与する。
【００５２】
本実施形態では、マスク１６は、ベース１５とは反対側から突出部２２に面した支持部３３を有する。このような構成によれば、支持部３３によって突出部２２が支持され、パッキング部２１の回転が規制される。これにより、シーリング部材１７の捩れや倒れを抑制することができる。
【００５３】
本実施形態では、突出部２２は、環状のパッキング部２１の内側に設けられている。このため、側壁１２の内面１２ａに沿って、隆起部２７と係合部３１とを略直線上に配置することができる。これにより、テレビジョン受像機１の小型化を図ることができる。
【００５４】
本実施形態では、突出部２２と溝１８の底面１８ａとの間には、隙間Ｃ１が設けられている。このような構成によれば、突出部２２がマスク１６とベース１５との間に挟まれ、この突出部２２が邪魔になって、パッキング部２１がマスク１６とベース１５との間で十分に圧縮されないという事態を避けることができる。すなわち、突出部２２と溝１８の底面１８ａとの間に隙間Ｃ１（遊び、余裕部）を設けることで、パッキング部２１がマスク１６とベース１５との間で適正に圧縮されることを促すことができる。
【００５５】
本実施形態では、突出部２２は、パッキング部２１の第２端部２１ｂよりも、溝１８の底面１８ａの近くに位置する。すなわち、パッキング部２１の第２端部２１ｂと突出部２２との間には段差部２３ａが設けられている。このような構成によれば、突出部２２がマスク１６の平面部３２とベース１５との間に挟まれ、この突出部２２が邪魔になって、パッキング部２１がマスク１６とベース１５との間で十分に圧縮されないという事態をさらに確実に避けることができる。
【００５６】
本実施形態では、支持部３３の先端部は、溝１８の内部に入り込み、溝１８の内部で突出部２２に面する。このような構成によれば、シーリング部材１７に捩れや倒れが生じる場合に支持部３３が突出部２２をさらに確実に押さえることができる。
【００５７】
本実施形態では、パッキング部２１の第２端部２１ｂは、マスク１６に近付くに従い細くなる楔形である。このような形状によれば、第２端部２１ｂが弾性変形しやすく、第２端部２１ｂとマスク１６との接触が密になりやすい。
【００５８】
一方で、第２端部２１ｂが楔形であると、ベース１５に対してマスク１６が斜めに傾いた方向から取り付けられた場合、シーリング部材１７に捩れや倒れが生じやすい。しかしながら、本実施形態の構成によれば、支持部３３によって突出部２２を支持することでシーリング部材１７の捩れや倒れを抑制することができる。換言すれば、突出部２２と支持部３３とが設けられているため、捩れや倒れを抑制しつつ第２端部２１ｂの形状を楔形にして、マスク１６とパッキング部２１との接触を密にすることができる。
【００５９】
本実施形態では、複数の突出部２２は、パッキング部２１の経路変化部の両側に分かれて位置する。このような構成によれば、捩れや倒れが特に生じやすい経路変化部をさらに確実に支持することができる。また、突出部２２が経路変化部の途中ではなくその両側に設けられることで、経路変化部（例えばコーナー部２８）の近くにボスのような筐体構造を設けることができる。これは、テレビジョン受像機１の小型化に寄与する。
【００６０】
本実施形態では、突出部２２及び支持部３３は、ベース１５の周端部に対して部分的に設けられている。これにより、突出部２２及び支持部３３が設けられていない領域（例えば領域２６ａ）を利用して、ベース１５とマスク１６との係合部３１（連結部）を設けることができる。このため、本実施形態に係る構成によれば、突出部２２及び支持部３３がベース１５の周端部の全周に設けられる場合に比べて、テレビジョン受像機１の小型化を図ることができる。
【００６１】
なお、テレビジョン受像機１は、上記構成に限定されるものではない。例えば、シーリング部材１７は、ベース１５に代えて、マスク１６に取り付けられてもよい。すなわち、マスク１６に溝１８が設けられてシーリング部材１７が取り付けられ、ベース１５に支持部３３が設けられてもよい。この場合、マスク１６は、「第１部材」の一例である。ベース１５は、「第２部材」の一例である。また、シーリング部材１７が取り付けられる取付部は、溝でなくてもよい。シーリング部材１７は、環状のものに限定されない。
【００６２】
突出部２２は、溝１８の底面１８ａと略平行な方向に延びたものに限定されない。突出部２２は、例えば底面１８ａと交差した方向に延びてもよい。突出部２２は、パッキング部２１の外周面から外側に突出してもよい。パッキング部２１や突出部２２、支持部３３の形状や構造は、上記に限定されるものではない。
【００６３】
（スピーカ取付構造）  
次に、スピーカ取付構造について説明する。図１１に示すように、筐体４内には、一対のスピーカ４１が収容されている。なお、一対のスピーカ４１の取付構造は略同じであるので、一方のスピーカ４１の取付構造を代表して詳しく説明する。
【００６４】
図２、図１２、図１３に示すように、筐体４の側壁１２には、開口部４２が設けられている。開口部４２は、スピーカ４１からの音が出る放音部（放音口）である。開口部４２は、底壁１１と略平行に設けられ、側壁１２を側方に貫通している。図１１乃至図１３に示すように、スピーカ４１は、筐体４の内部で開口部４２に対向している。
【００６５】
筐体４の側壁１２の内面１２ａには、スピーカ４１が取り付けられる取付部４３（隆起部）が設けられている。取付部４３は、側壁１２の内面１２ａから筐体４の内側に突出している。これにより、取付部４３は、筐体４の厚さ方向に延びた取付面４３ａを有する。すなわち取付面４３ａは、円弧状の側壁１２とは交差した方向に延びている。取付部４３は、側壁１２と一体に開口部４２（放音口）が設けられている。
【００６６】
図１２及び図１３に示すように、スピーカ４１と開口部４２（側壁１２）との間には、防水シート４４、２枚のクッション４５，４６、及び３枚の両面テープ４７，４８，４９が設けられている。防水シート４４（液密シート、防水部、遮断部、遮蔽部、シート、部材）は、取付面４３ａとスピーカ４１との間に位置する。防水シート４４には、穴部は設けられていない。防水シート４４は、スピーカ４１からの振動を外部に伝えるために、例えば比較的硬い素材で構成されている。
【００６７】
防水シート４４と取付面４３ａとの間には、第１クッション４５（第１弾性部、第１介在部材）が設けられている。防水シート４４とスピーカ４１との間には、第２クッション４６（第２弾性部、第２介在部材）が設けられている。クッション４５，４６は、押圧されて変形可能な部材であり、例えばスポンジ部材またはゴム部材である。防水シート４４の両側にクッションが其々設けられることで、防水シート４４が前後に振動可能になる。第１及び第２クッション４５，４６は、其々、開口部４２（放音口）に対応した開口部が設けられている。
【００６８】
第１クッション４５と取付面４３ａとの間には、防水性の第１両面テープ４７が設けられている。第１クッション４５と防水シート４４との間には、防水性の第２両面テープ４８が設けられている。防水シート４４と第２クッション４６との間には、第３両面テープ４９が設けられている。第１乃至第３両面テープ４７，４８，４９は、其々、開口部４２（放音口）に対応した開口部が設けられている。
【００６９】
防水シート４４、クッション４５，４６、及び両面テープ４７，４８，４９は、互いに貼り合わされ、スピーカ４１が取り付けられる前に、取付面４３ａに取り付けられて筐体４に支持されている。互いに貼り合わされて一体となった防水シート４４、クッション４５，４６、及び両面テープ４７，４８，４９は、シーリング部５０の一例を構成する。シーリング部５０は、「弾性部」の一例である。
【００７０】
図１４乃至図１６に示すように、筐体４は、第１支持部５１（第１突起、第１取付部、第１仮留部、第１仮固定部）と、第２支持部５２（第２突起、第２取付部、第２仮留部、第２仮固定部）とを有する。第１支持部５１及び第２支持部５２は、其々、筐体４の内面から突出した突起であり、例えば円柱状のピンである。第１支持部５１及び第２支持部５２は、例えば取付部４３（開口部４２）の両側に分かれて位置する。
【００７１】
第１支持部５１及び第２支持部５２は、底壁１１とは交差した方向（例えば略直交した方向）に突出している。第１支持部５１及び第２支持部５２は、例えば取付面４３ａと略平行に突出している。本実施形態では、第１支持部５１及び第２支持部５２は、底壁１１とは略直交した方向（すなわち筐体４の厚さ方向）に突出している。なお、第１支持部５１及び第２支持部５２は、底壁１１とは斜めに交差した方向に突出してもよい。第１支持部５１は、底壁１１とは交差した方向（例えば略直交した方向）から部品（モジュール、ユニット）が係合可能である。
【００７２】
図１４乃至図１６に示すように、筐体４は、第１固定部５３及び第２固定部５４を有する。第１固定部５３及び第２固定部５４は、其々、筐体４の内面から突出した突起部であり、例えばボスである。第１固定部５３及び第２固定部５４は、其々、穴５５が設けられている。穴５５は、例えばねじ穴またはねじ挿通穴である。穴５５は、有底穴でもよく、貫通穴でもよい。穴５５は、底壁１１とは交差した方向（例えば略直交した方向）に開口している。
【００７３】
第１固定部５３は、第１支持部５１の近傍に位置する。第１支持部５１は、第１固定部５３と取付部４３との間に位置する。第２固定部５４は、第２支持部５２の近傍に位置する。第２支持部５２は、第２固定部５４と取付部４３との間に位置する。なお、第１支持部５１は、第１固定部５３よりも外側に位置してもよい。第２支持部５２は、第２固定部５４よりも外側に位置してもよい。
【００７４】
図１７に示すように、スピーカ４１には、ホルダ５６（スピーカホルダ、保持部、ケース、取付部材）が取り付けられている。ホルダ５６及びスピーカ４１は、スピーカモジュール５７（スピーカユニット）として一体である。筐体４（ベース１５）は、「第１部材」の一例である。スピーカモジュール５７は、「第２部材」、「モジュール」、「ユニット」、「部品」、「部材」の其々一例である。
【００７５】
図１４乃至図１７に示すように、ホルダ５６は、第１部分５６ａ、第２部分５６ｂ、及び第３部分５６ｃを有する。第１部分５６ａは、スピーカ４１を保持した保持部（支持部）である。第１部分５６ａは、スピーカ４１の外形を囲む。第１部分５６ａは、シーリング部５０（弾性部）に向かい合う。
【００７６】
第１部分５６ａは、第１端部と、該第１端部とは反対側に位置した第２端部とを有する。第２部分５６ｂは、第１部分５６ａの第１端部に設けられ、スピーカ４１から離れる方向に延びている。第３部分５６ｃは、第１部分５６ａの第２端部に設けられ、スピーカ４１から離れる方向に延びている。すなわち、第２部分５６ｂ及び第３部分５６ｃは、第１部分５６ａの両側に分かれて位置する。
【００７７】
図１４乃至図１７に示すように、第２部分５６ｂは、例えば底壁１１と略平行な板状に形成されている。第２部分５６ｂは、底壁１１とは交差した方向（例えば略直交した方向）で、第１支持部５１及び第１固定部５３に向かい合う。第２部分５６ｂは、第１係合部６１（第１取付部、第１係り部）が設けられている。
【００７８】
第１係合部６１は、第１支持部５１に係合する。第１係合部６１は、例えば第１支持部５１が通される穴（丸穴、貫通穴、挿通孔）である。なお、第１係合部６１は、穴に限らず、ホルダ５６に設けられた凹部（窪み）でもよい。第１係合部６１は、底壁１１とは交差した方向から第１支持部５１に係合される（取り付けられる、通される）。第１係合部６１は、例えば取付面４３ａと略平行な方向から第１支持部５１に係合される。第１支持部５１は、該第１支持部５１に第１係合部６１が係合されることで、スピーカモジュール５７を支持する。
【００７９】
図１５及び図１６に示すように、スピーカモジュール５７は、第１支持部５１に支持された状態で、第１支持部５１を軸（中心、回動中心、支点）として、第１位置Ｐ１と第２位置Ｐ２とに亘り回動可能である。
【００８０】
図１５に示すように、第１位置Ｐ１（仮固定位置、仮置き位置）は、側壁１２から離れた位置である。第１位置Ｐ１では、スピーカモジュール５７は、側壁１２とは交差した方向に向き、側壁１２に対して傾いている。第１位置Ｐ１では、スピーカモジュール５７は、シーリング部５０から離れている。スピーカモジュール５７とシーリング部５０との間には、隙間Ｃ２が設けられている。第１位置Ｐ１では、シーリング部５０は、非圧縮の状態である。
【００８１】
スピーカモジュール５７は、第１支持部５１に支持された状態で、該第１位置Ｐ１から第２位置Ｐ２（本固定位置）まで移動可能である。本実施形態では、スピーカモジュール５７は、第１係合部６１が第１支持部５１に係合された状態で第１支持部５１を軸として回転されることで、底壁１１と略平行な方向で第１位置Ｐ１から第２位置Ｐ２に移動される。
【００８２】
図１６に示すように、第２位置Ｐ２は、第１位置Ｐ１よりも、側壁１２（開口部４２、シーリング部５０）の近くに位置する。第２位置Ｐ２では、スピーカモジュール５７は、側壁１２と略平行に位置する。スピーカモジュール５７は、開口部４２の正面に位置し、開口部４２に面する。
【００８３】
シーリング部５０は、スピーカモジュール５７が第１位置Ｐ１から第２位置Ｐ２に移動する間に、スピーカモジュール５７と側壁１２との間に挟まれる。第２位置Ｐ２では、スピーカモジュール５７は、シーリング部５０に接しており、シーリング部５０を側壁１２に向けて押圧する。これにより、シーリング部５０は、スピーカモジュール５７と側壁１２との間で圧縮（圧縮変形）され、スピーカモジュール５７と側壁１２との間を液密に塞ぐ。シーリング部５０は、開口部４２の周りを液密に塞ぐ。
【００８４】
図１４乃至図１７に示すように、第３部分５６ｃは、例えば底壁１１と略平行な板状に形成されている。第３部分５６ｃは、底壁１１とは交差した方向（例えば略直交した方向）で、第２固定部５４に向かい合う。第３部分５６ｃは、第２係合部６２（第２取付部、第２係り部）が設けられている。
【００８５】
第２係合部６２は、第２位置Ｐ２で、第２支持部５２に接する（係合する）。これにより、スピーカモジュール５７は、第２位置Ｐ２で回動が規制され、第２位置Ｐ２で位置決めされる。第２支持部５２は、「位置決め部」の一例である。
【００８６】
スピーカモジュール５７（第２部分５６ｂ）は、第２支持部５２に面した端部を有する。第２係合部６２は、該端部に設けられている。第２係合部６２の一例は、第２支持部５２に向いて開口したＵ字形の切欠き部である。第２係合部６２は、筐体４の厚さ方向とは交差した方向（例えば底壁１１と略平行な方向）で、第２支持部５２に係合する（第２支持部５２が挿入される）。
【００８７】
第２係合部６２の一例は、例えば第２支持部５２に掛かる（引っ掛かる）フック６３（爪部、係り部、仮留め部）を有する。第２係合部６２（フック６３）は、第２位置Ｐ２で第２支持部５２に係合し、第２支持部５２に仮固定さえる。これにより、スピーカモジュール５７は、第２位置Ｐ２に仮固定される。なお、第２係合部６２は、フック６３に代えて、例えば第２支持部５２の直径よりも狭い幅狭部（係り部、仮留め部）を有して第２支持部５２に仮固定されてもよい。
【００８８】
図１４乃至図１７に示すように、ホルダ５６の第２部分６２ｂは、第１穴６４（第１挿通穴、第１貫通孔、第１固定穴、第１孔、第１取付穴）を有する。第１穴６４は、第２位置Ｐ２で、第１固定部５３の穴５５に面する。ホルダ５６の第１穴６４及び第１固定部５３の穴５５には、第１固定部材６５（第１固定部、第１取付部材、第１支持部材）が取り付けられる。
【００８９】
第１固定部材６５は、例えばねじである。第１固定部材６５は、底壁１１とは交差した方向（例えば略直交した方向）から第１穴６４及び第１固定部５３の穴５５に挿入される。第１固定部材６５は、例えば取付面４３ａと略平行な方向から第１穴６４及び第２固定部５３の穴５５に挿入される。
【００９０】
本実施形態では、マスク１６の内面は、第１固定部５３に向かい合う第３固定部６９（図９、図１０参照）を有する。第３固定部６９は、ねじ穴５５を有する。図１６に示すように、第１固定部材６５は、例えば筐体４の外側から第１固定部５３の穴５５（挿通穴）及びホルダ５６の第１穴６４に通され、マスク１６の第３固定部６９のねじ穴５５に固定（係合、螺合）される。これにより、第２位置Ｐ２でスピーカモジュール５７が筐体４に固定される。
【００９１】
なお、上記構成に代えて、第１固定部５３の穴５５は、ねじ穴でもよい。第１固定部材６５は、筐体４の内側からホルダ５６の第１穴６４に通され、第１固定部５３の穴５５に固定（係合、螺合）されてもよい。
【００９２】
図１４乃至図１７に示すように、ホルダ５６の第３部分５６ｃは、第２穴６６（第２挿通穴、第２貫通孔、第２固定穴、第２孔、第２取付穴）を有する。第２穴６６は、第２位置Ｐ２で、第２固定部５４の穴５５に面する。ホルダ５６の第２穴６６及び第２固定部５４の穴５５には、第２固定部材６７（第２固定部、第２取付部材、第２支持部材）が取り付けられる。
【００９３】
第２固定部材６７は、例えばねじである。第２固定部材６７は、底壁１１とは交差した方向（例えば略直交した方向）から第２穴６６及び第２固定部５４の穴５５に挿入される。第２固定部材６７は、例えば取付面４３ａと略平行な方向から第２穴６６及び第２固定部５４の穴５５に挿入される。
【００９４】
本実施形態では、第２固定部５４の穴５５は、ねじ穴である。第２固定部材６７は、筐体４の内側からホルダ５６の第２穴６６に通され、第２固定部５４の穴５５に固定（係合、螺合）される。これにより、第２位置Ｐ２でスピーカモジュール５７が筐体４に固定される。
【００９５】
図１６に示すように、本実施形態では、第１固定部材６５及び第２固定部材６７は、段付きねじである。段付きねじは、ねじ部６８ａと、非ねじ部６８ｂ（胴部、円柱部）とを有する。非ねじ部６８ｂには、ねじ山は設けられていない。このため、非ねじ部６８ｂは、ねじ部６８ａに比べて、部品公差が小さい。
【００９６】
ホルダ５６の第１穴６４には、第１固定部材６５の非ねじ部６８ｂが挿入される。ホルダ５６の第２穴６６には、第２固定部材６７の非ねじ部６８ｂが挿入される。第１及び第２の固定部材６５，６７の非ねじ部６８ｂが穴６４，６６に挿入されることで、ホルダ５６の位置が正確に定まる。これにより、シーリング部材１７の圧縮量（つぶし量）を、精度良く制御することができる。
【００９７】
スピーカモジュール５７は、筐体４の第１位置Ｐ１に仮置き（仮固定）され、該第１位置Ｐ１から移動された第２位置Ｐ２で筐体４に固定（本固定）される。次に、図１５、図１６、図１７を参照して、スピーカモジュール５７の取付方法の一例について説明する。
【００９８】
まず、スピーカモジュール５７が取り付けられる前に、シーリング部５０が側壁１２に取り付けられる（図１７中のＳ１）。なお、シーリング部５０は、側壁１２に代えて、スピーカモジュール５７に取り付けられてもよい。
【００９９】
ここで、上記とは別の観点の第１方向Ｘ及び第２方向Ｙを定義する。第１方向Ｘは、底壁１１とは交差した方向である。本実施形態では、第１方向Ｘは、底壁１１と略直交した方向である。なお、第１方向Ｘは、底壁１１とは斜めに交差した方向でもよい。
【０１００】
図１５に示すように、スピーカモジュール５７は、第１方向Ｘから第１支持部５１に取り付けられる（図１７中のＳ２）。スピーカモジュール５７は、側壁１２に取り付けられたシーリング部５０に接しないように（シーリング部５０を剥がさないように）、側壁１２から離れた第１位置Ｐ１に取り付けられる。スピーカモジュール５７は、第１位置Ｐ１で第１支持部５１に支持される。
【０１０１】
スピーカモジュール５７は、第１支持部５１に支持された状態で、第１位置Ｐ１から第２位置Ｐ２に移動される（図１７中のＳ３）。本実施形態では、スピーカモジュール５７は、第１支持部５１を軸として、第２方向Ｙに回転させられる。第２方向Ｙは、第１方向Ｘとは交差した方向である。第２方向Ｙは、第１位置Ｐ１からシーリング部５０（側壁１２）に近付く方向である。本実施形態では、第２方向Ｙは、底壁１１と略平行な方向である。第２方向Ｙは、シーリング部５０（側壁１２）と交差した方向（例えば略直交した方向）である。
【０１０２】
シーリング部５０は、スピーカモジュール５７が第１位置Ｐ１から第２位置Ｐ２に移動する間に、スピーカモジュール５７と側壁１２との間で挟まれ、スピーカモジュール５７と側壁１２との間で圧縮される（図１７中のＳ４）。これにより、開口部４２周りが液密に塞がれる。
【０１０３】
スピーカモジュール５７が第２位置Ｐ２まで移動されると、第２係合部６２が第２支持部５２に接し、スピーカモジュール５７の移動が規制される（図１７中のＳ５）。これにより、スピーカモジュール５７は、第２位置Ｐ２に位置決めされる。本実施形態では、第２係合部６２は、第２支持部５２に掛かるフック６３を有する。このため、第２位置Ｐ２に移動されたスピーカモジュール５７は、第２位置で第２支持部５２に係り、第２位置Ｐ２で保持される。
【０１０４】
次に、第２固定部材６７がホルダ５６の第２穴６６に通され、第２固定部５４の穴５５に係合される（図１７中のＳ６）。これにより、スピーカモジュール５７は、筐体４に固定（本固定）される。さらに本実施形態では、ベース１５とマスク１６とが合わされた後、第１固定部材６５が第１固定部５３の穴５５及びホルダ５６の第１穴６４に通され、マスク１６の第３固定部６９の穴５５に係合される。これにより、ベース１５、マスク１６、及びスピーカモジュール５７が共締めされる。
【０１０５】
このような構成によれば、テレビジョン受像機１の組立性の向上を図ることができる。  
例えば表示画面を同じ面にスピーカの放音口を設ける場合、該放音口によってデザイン性が制約され、例えば狭額縁の電子機器の実現が困難になる。そのため、筐体の側壁に放音口を設け、側壁の内面にスピーカを取り付けることが考えられる。
【０１０６】
比較のため、図１８に、側壁７１と略平行な方向からスピーカモジュール７２が取り付けられる電子機器７３を示す。この電子機器７３は、側壁７１とスピーカモジュール７２との間で圧縮されるシーリング部７４を有する。この場合、側壁７１と略平行な方向からスピーカモジュール７２を取り付けようとすると、スピーカモジュール７２がシーリング部７４の端部に引っ掛かり、シーリング部７４が側壁７１から剥がれるか、傾いて圧縮される可能性がある。このため、このような構造を有した電子機器７３の組立性は、低くなる傾向にある。
【０１０７】
一方で、本実施形態では、テレビジョン受像機１は、筐体４と、筐体４の第１位置Ｐ１に仮置きされ、該第１位置Ｐ１から移動された第２位置Ｐ２で筐体４に固定されたスピーカモジュール５７を有する。このような構成によれば、２段階による取付けになるため、種々の問題を解決してテレビジョン受像機１の組立性を向上させることができる。
【０１０８】
例えば本実施形態では、テレビジョン受像機１は、スピーカモジュール５７が第２位置Ｐ２から第１位置Ｐ１に移動される間に、スピーカモジュール５７と側壁１２との間に挟まれるシーリング部５０を有する。このような構成によれば、シーリング部５０を適切な方向から押圧しやすく、シーリング部５０の剥がれや捩れなどを抑制することができる。これにより、テレビジョン受像機１の組立性を向上させることができる。
【０１０９】
本実施形態では、スピーカモジュール５７は、第１方向Ｘから第１支持部５１に係合され、第１方向Ｘとは交差する第２方向Ｙで第１位置Ｐ１から第２位置Ｐ２に移動される。このような構成によれば、スピーカモジュール５７がシーリング部５０を押圧した方向と、スピーカモジュール５７を筐体４に取り付ける方向とを別にすることができる。このため、例えば底壁１１と交差した方向から第１支持部５１にスピーカモジュール５７を取り付けることができる。これは、テレビジョン受像機１の組立性を向上させることができる。
【０１１０】
本実施形態では、スピーカモジュール５７が第２位置Ｐ２に移動された後に筐体４に取り付けられ、スピーカモジュール５７を第２位置Ｐ２に固定した固定部材６５，６７をさらに備える。このような構成によれば、スピーカモジュール５７を第２位置Ｐ２でさらに強固に固定することができる。
【０１１１】
本実施形態では、固定部材６７は、底壁１１とは交差した方向から筐体４に取り付けられる。このような構成によれば、例えば底壁１１と交差した方向から固定部材６７を筐体４に取り付けることができる。これは、テレビジョン受像機１の組立性をさらに向上させることができる。
【０１１２】
本実施形態では、第１支持部５１は、底壁１１とは交差した方向に突出した第１突起である。スピーカモジュール５７は、前記第１突起が係合する第１係合部６１が設けられ、第１係合部６１が前記第１突起に係合された状態で前記第１突起を軸として回動されることで、底壁１１と略平行な方向で第１位置Ｐ１から第２位置Ｐ２に移動される。このような構成によれば、スピーカモジュール５７を、底壁１１と略平行な方向に安定して移動させることができる。これは、テレビジョン受像機１の組立性をさらに向上させることができる。
【０１１３】
本実施形態では、筐体４は、位置決め部（例えば第２支持部５２）を有する。スピーカモジュール５７は、第２位置Ｐ２で前記位置決め部に係合して仮固定される第２係合部６２が設けられている。このような構成によれば、スピーカモジュール５７の位置が第２位置で正確に定まる。これは、テレビジョン受像機１の組立性をさらに向上させることができる。
【０１１４】
本実施形態では、前記位置決め部は、底壁１１とは交差した方向に突出した第２突起である。第２係合部６２は、前記第２突起に面したスピーカモジュール５７の端部に設けられ、前記第２突起に向いて開口した切欠き部である。このような構成によれば、第２位置Ｐ２まで回転移動されたスピーカモジュール５７が前記位置決め部に係合しやすい。これは、テレビジョン受像機１の組立性をさらに向上させることができる。
【０１１５】
なお、本実施形態は、例えば図２０に示すような電子機器８１にも適用可能である。電子機器８１は、例えばスレートＰＣである。なお、上述したように、本実施形態及び下記の実施形態は、種々の電子機器に広く適用可能である。
【０１１６】
本実施形態では、スピーカの取付構造について説明した。なお、本実施形態に係る取付構造が適用可能な部品は、スピーカに限定されるものではない。上記取付構造は、例えばコネクタやカメラ、スイッチ、ＬＥＤ、マイク、レシーバーなどを含む種々の部品に広く適用可能である。
【０１１７】
また、本実施形態は、側壁１２に対して部品を取り付ける場合を説明したが、本実施形態に係る取付構造は、これに限定されるものではない。上記取付構造は、底壁１１や上壁１３、またはその他の部分に対して部品を取り付ける場合にも適用可能である。第１位置Ｐ１から第２位置Ｐ２への部品の移動方向は、底壁１１と略平行な方向に限らない。第１位置Ｐ１から第２位置Ｐ２への部品の移動は、回転移動に限らず、スライド移動や、その他の移動でもよい。また第２支持部５２は、省略可能である。
【０１１８】
（第２実施形態）  
次に、図２１及び図２２を参照して、第２実施形態に係るテレビジョン受像機１を説明する。なお、第１実施形態の構成と同一または類似の機能を有する構成は、同一の符号を付してその説明を省略する。また、下記に説明する以外の構成は、第１実施形態と同じである。
【０１１９】
図２１に示すように、筐体４には、支持部５１と固定部５３とが設けられている。支持部５１は、例えば底壁１１と略平行に突出した円柱状のピンである。スピーカモジュール５７は、係合部６１と、穴６４とが設けられている。スピーカモジュール５７は、底壁１１とは交差する第１方向Ｘから支持部５１に取り付けられる。スピーカモジュール５７は、側壁１２から離れた第１位置Ｐ１で、支持部５１に支持される。
【０１２０】
図２２に示すように、スピーカモジュール５７は、係合部６１が支持部５１に支持された状態で、第１位置Ｐ１から第２位置Ｐ２に移動される。本実施形態では、スピーカモジュール５７は、係合部６１が支持部５１に支持された状態で支持部５１を軸として回転されることで、第１位置Ｐ１から第２位置Ｐ２に移動される。スピーカモジュール５７は、第１方向Ｘとは交差する第２方向Ｙで、第１位置Ｐ１から第２位置Ｐ２に移動される。
【０１２１】
シーリング部５０は、スピーカモジュール５７が第１位置Ｐ１から第２位置に移動させる間に、スピーカモジュール５７と側壁１２との間に挟まれて圧縮される。固定部材６５は、スピーカモジュール５７を第２位置Ｐ２で固定する。固定部材６５は、底壁１１とは交差した方向（例えば側壁１２と略平行な方向）から筐体４に取り付けられる。
【０１２２】
このような構成によれば、上記第１実施形態と同様に、テレビジョン受像機１の組立性の向上を図ることができる。
【０１２３】
（第３実施形態）  
次に、図２３及び図２４を参照して、第３実施形態に係るテレビジョン受像機１を説明する。なお、第１実施形態の構成と同一または類似の機能を有する構成は、同一の符号を付してその説明を省略する。また、下記に説明する以外の構成は、第１実施形態と同じである。
【０１２４】
図２３に示すように、筐体４には、支持部５１が設けられている。本実施形態に係る支持部５１は、筐体４に設けられた載置面（取付面、仮置き面、スライド面、ガイド）である。スピーカモジュール５７は、上記載置面の上に置かれることで、支持部５１に支持される。スピーカモジュール５７は、底壁１１とは交差する第１方向Ｘから支持部５１に置かれる。スピーカモジュール５７は、側壁１２から離れた第１位置Ｐ１で、支持部５１に支持される。
【０１２５】
図２４に示すように、スピーカモジュール５７は、支持部５１に支持された状態で、第１位置Ｐ１から第２位置Ｐ２に移動される。本実施形態では、スピーカモジュール５７は、支持部５１に載せられた状態で、第１位置Ｐ１から第２位置Ｐ２に向いて（側壁１２に向いて）スライド移動される。
【０１２６】
本実施形態では、例えばスピーカモジュール５７の背後に固定部材６５が取り付けられる。固定部材６５は、底壁１１とは交差した方向（例えば側壁１２と略平行な方向）から筐体４に取り付けられる。固定部材６５は、例えば楔形の形状を有する。固定部材６５が取り付けられることで、スピーカモジュール５７は、側壁１２に向けて押されて、第２位置Ｐ２に移動する。固定部材６５は、スピーカモジュール５７を第２位置Ｐ２で固定する。
【０１２７】
このような構成によれば、上記第１実施形態と同様に、テレビジョン受像機１の組立性の向上を図ることができる。
【０１２８】
（第４実施形態）  
次に、図２５を参照して、第４実施形態に係るテレビジョン受像機１を説明する。なお、第１実施形態の構成と同一または類似の機能を有する構成は、同一の符号を付してその説明を省略する。また、下記に説明する以外の構成は、第１実施形態と同じである。
【０１２９】
図２５に示すように、側壁１２は、第１開口部８３と、蓋８４とが設けられている。蓋８４は、側壁１２に着脱可能に取り付けられ、第１開口部８３を覆う。蓋８４は、例えば防水性の両面テープ８５によって側壁１２に固定される。蓋８４は、第２開口部４２（放音部、放音口）が設けられている。蓋８４は、側壁１２の一部である。
【０１３０】
シーリング部５０は、スピーカモジュール５７に取り付けられている。スピーカモジュール５７は、筐体４の内部に取り付けられる。蓋８４は、スピーカモジュール５７が取り付けられた後に、側壁１２に取り付けられる。蓋８４が側壁１２に取り付けられることで、シーリング部５０は、蓋８４とスピーカモジュール５７との間に挟まれて圧縮される。
【０１３１】
このような構成によれば、シーリング部５０が剥がれたり傾いたりすることを抑制することができる。これにより、テレビジョン受像機１の組立性を向上させることができる。
【０１３２】
（第５実施形態）  
次に、図２６を参照して、第５実施形態に係るテレビジョン受像機１を説明する。なお、第１実施形態の構成と同一または類似の機能を有する構成は、同一の符号を付してその説明を省略する。また、下記に説明する以外の構成は、第１実施形態と同じである。
【０１３３】
上記第１乃至第４の実施形態では、防水性を目的とした部品の取付構造について説明した。なお、上記取付構造は、防水性を目的としたものに限定されるものではなく、種々の目的のものに広く適用可能である。本実施形態では、上記取付構造を例えば発熱部品の押圧部品に適用したものである。
【０１３４】
図２６に示すように、回路基板６は、発熱部品８６を有する。発熱部品８６は、例えばＣＰＵやグラフィックチップであるが、これらに限定されるものではない。発熱部品８６には、受熱部材８７（または放熱部材８７）が取り付けられている。発熱部品８６と受熱部材８７との間には、熱伝導部材８８（伝熱部材）が介在されている。熱伝導部材８８は、例えば熱伝導シートまたは熱伝導性グリスである。熱伝導部材８８は、弾性部の一例である。
【０１３５】
テレビジョン受像機１は、押圧部材８９（押圧部、押圧部品）を有する。受熱部材８７は、発熱部品８６と押圧部材８９との間に位置する。押圧部材８９は、受熱部材８７を発熱部品８６に向けて押圧する。熱伝導部材８８は、受熱部材８７と発熱部品８６との間に挟まれる。これにより、発熱部品８６と受熱部材８７との熱接続が強固になる。
【０１３６】
図２６に示すように、回路基板６は、支持部５１と、固定部５３とが設けられている。支持部５１は、例えば回路基板６と略平行に突出した円柱状のピンである。固定部５３は、例えば回路基板６に設けられたスタッドである。押圧部材８９は、係合部６１と、穴６４とが設けられている。
【０１３７】
押圧部材８９は、受熱部材８７から離れた第１位置Ｐ１で、支持部５１に支持される。押圧部材８９は、係合部６１が支持部５１に支持された状態で、第１位置Ｐ１から受熱部材８７に近付く第２位置Ｐ２に移動される。本実施形態では、押圧部材８９は、係合部６１が支持部５１に支持された状態で支持部５１を軸として回転されることで、第１位置Ｐ１から第２位置Ｐ２に移動される。
【０１３８】
熱伝導部材８８は、押圧部材８９が第１位置Ｐ１から第２位置に移動させる間に、受熱部材８７と発熱部品８６との間（すなわち押圧部材８９と発熱部品８６との間）に挟まれて圧縮される。固定部材６５は、押圧部材８９を第２位置Ｐ２で固定する。
【０１３９】
このような構成によれば、上記第１実施形態と同様に、テレビジョン受像機１の組立性の向上を図ることができる。さらに、本実施形態によれば、ねじのような固定部材の数を減らすことができる。これは、テレビジョン受像機１の低コスト化に寄与する。
【０１４０】
また、第１乃至第５実施形態に係る取付構造は、シーリング部５０や熱伝導部材８８を挟み込むものに限らず、例えばコネクタと筐体４の導体部との間にＥＭＩ(Electro Magnet Interference)対策用の導電性部材を挟みこむ構造にも適用可能である。
【０１４１】
（第６実施形態）  
図２７は、第６実施形態に係るテレビジョン受像機１１０を示す。テレビジョン受像機１１０は、電子機器の一例である。テレビジョン受像機１１０は、表示ユニット１１２と、スタンド１１３とを備える。表示ユニット１１２は、筐体１１５と、該筐体１１５に収容された表示装置１１６とを備える。
【０１４２】
筐体１１５は、前面１２１と、側面１２２（外面、表面、側壁、壁部、壁）とを有する。前面１２１には、開口部１２６が設けられている。開口部１２６は、画像が表示される表示装置１１６の表示面を露出させる。
【０１４３】
側面１２２は、前面１２１と交差した方向に延びている。側面１２２の一部は、前面１２１から後方に進むに従って筐体１１５の中央部に近付く方向に傾斜している。側面１２２には、インターフェース部１２７が設けられている。インターフェース部１２７は、側面１２２から突出している。インターフェース部１２７は、前面１２１とは交差した方向（略直交した方向）に延びた側壁１２８（外面、表面、壁部、壁）を有する。側壁１２８は、壁部の一例である。
【０１４４】
側壁１２８には、複数のボタン１３１（スイッチ、部品、部材、入力部）と、カード開口１３２（第１開口部）と、複数の端子開口１３３（第２開口部）とが設けられている。複数のボタン１３１は、例えば電源ボタン、チャンネル切り替えボタン、及び音量調節ボタンを含む。ボタン１３１は、操作部（部品、部材）の一例である。カード開口１３２は、例えばＢ−ＣＡＳカードのようなカードが挿入される。端子開口１３３は、例えばＵＳＢ端子またはＨＤＭＩ端子が挿入される。
【０１４５】
筐体１１５は、前面１２１の反対側に位置した後面と、前面１２１と交差した方向に延びた下面とをさらに有する。前記後面は、例えば複数の通気口が設けられるとともに、スタンド１１３が固定されている。前記下面は、スピーカー用の開口が設けられている。
【０１４６】
図２８に示すように、筐体１１５は、フロントカバー１３５と、リアカバー１３６とを有する。フロントカバー１３５は、筐体１１５の前面１２１を含む。リアカバー１３６は、筐体１１５の側面１２２、前記後面、及び前記下面を含む。
【０１４７】
筐体１１５の前面１２１には、透光性のパネル１３７が取り付けられている。パネル１３７は、開口部１２６を覆う。表示装置１１６は、パネル１３７越しに外部に露出される。
【０１４８】
筐体１１５の内部には、メイン基板１３８（第１基板、第１回路基板）と、モジュール基板１３９（回路板、配線板、部品、ユニット、第２基板、第２回路基板）とが収容されている。メイン基板１３８は、例えば矩形状のプリント配線板である。メイン基板１３８は、複数の電子部品を有する。メイン基板１３８は、例えばスペーサを介して、表示装置１１６に取り付けられている。
【０１４９】
モジュール基板１３９は、例えばプリント配線板である。モジュール基板１３９は、側壁１２８とは交差した方向（例えば略直交した方向）に延びている。モジュール基板１３９は、前面１２１と略平行であり、前面１２１に面する。モジュール基板１３９は、メイン基板１３８よりも小さい外形を有する。モジュール基板１３９は、メイン基板１３８よりも側壁１２８に近い。モジュール基板１３９は、例えばケーブルによってメイン基板１３８に電気的に接続されている。
【０１５０】
図２９は、側壁１２８の周辺を示す。図２９に二点鎖線で示すように、モジュール基板１３９に、例えば複数のスイッチ１４１Ａ，１４１Ｂ（部品、モジュール、ユニット）、カードスロット、および複数のコネクタがそれぞれ実装されている。スイッチ１４１Ａは、電子部品の一例である。二つのスイッチ１４１Ｂは、他の電子部品の一例である。
【０１５１】
前記カードスロットは、カード開口１３２を通じて外部に開口している。該カードスロットには、例えばＢ−ＣＡＳカードのようなカードが挿入される。前記コネクタは、端子開口１３３を介して外部に開口している。該コネクタには、例えばＵＳＢ端子やＨＤＭＩ端子が挿入される。
【０１５２】
複数のスイッチ１４１Ａ，１４１Ｂは、複数のボタン１３１に其々対応して位置する。図２８に示すように、スイッチ１４１Ａ，１４１Ｂは、部品本体１４２（第１部分、固定部、筐体、ケース、固定された部分）と、押込部１４３（第２部分、移動部、可動部、端部、被操作部、感圧部、部分）とを其々有する。部品本体１４２は、例えば半田付けによってモジュール基板１３９に固定されている。部品本体１４２に、側壁１２８に向いた開口が設けられている。
【０１５３】
押込部１４３は、部品本体１４２の前記開口から側壁１２８に向かって突出している。押込部１４３は、外部から押圧を受けると部品本体１４２の内部に向いて弾性的に移動する。押込部１４３の一部が部品本体１４２の内部に押し込まれることで、スイッチ１４１Ａ，１４１Ｂは操作される。言い換えると、スイッチ１４１Ａ，１４１Ｂは、押込部１４３に押圧を受けて操作される。押込部１４３に作用する押圧力が解放されると、押込部１４３は弾性的に所定の位置に戻る。
【０１５４】
インターフェース部１２７は、側壁１２８と、この側壁１２８とは交差した方向（例えば略直交した方向）に延びた底壁１３６（壁部、壁、底面、固定面、取付面）とを有している。底壁１３６は、「第１壁」の一例である。底壁１４６は、フロントカバー１３５に面する。底壁１４６は、モジュール基板１３９の少なくとも一部に面する。
【０１５５】
側壁１２８は、「第２壁」の一例である。側壁１２８には、複数の開口部１４７Ａ，１４７Ｂ（開口、孔、穴、挿通部、露出部）が設けられている。開口部１４７Ｂは、他の開口部の一例である。開口部１４７Ａ，１４７Ｂの形状は、複数のボタン１３１の形状に其々対応している。例えば、電源ボタンであるボタン１３１に対応した開口部１４７Ａは、略正方形状に形成されている。チャンネル切り替えボタンまたは音量調節ボタンであるボタン１３１に対応した開口部１４７Ｂは、略矩形状に形成されている。開口部１４７Ａ，１４７Ｂには、対応したボタン１３１が其々挿通され、筐体１１５の外部に露出されている。
【０１５６】
ボタン１３１は、露出部１５１（操作部、挿通部、第１部分、部分）と、フランジ部１５２（係合部、係止部、第２部分）と、突部１５３（押圧部、突出部、嵌入部、操作部、第３部分、部分）とを有する。露出部１５１は、対応した開口部１４７Ａ，１４７Ｂに挿通され、筐体１１５の外部に露出されている。
【０１５７】
フランジ部１５２は、筐体１１５の内部に位置した露出部１５１の端部に設けられている。フランジ部１５２は、筐体１１５の内側から側壁１２８に面している。フランジ部１５２は、筐体１１５の内側から側壁１２８に係止される。突部１５３は、露出部１５１から筐体１１５の内部に向かって突出している。突部１５３の先端は、対応したスイッチ１４１Ａ，１４１Ｂの押込部１４３の先端に面している。突部１５３の先端は、フランジ部１５２よりも側壁１２８から離れている。
【０１５８】
筐体の内部には、複数のボタン１３１に対応して、複数のキーパッド１５６Ａ，１５６Ｂ（パッキング、シーリング部、閉塞部材、介在部材、弾性部、浸水抑制部材、部材）が其々配置されている。キーパッド１５６Ａ，１５６Ｂは、例えば弾性を有するシリコンゴム製である。なお、キーパッド１５６Ａ，１５６Ｂはこれに限らず、エラストナーや、他の合成ゴムによって構成されてもよい。キーパッド１５６Ａ，１５６Ｂは、接触部１５７（固定部、介在部、パッキング部、シーリング部、第１部分）と、変位部１５８（可動部、第２部分）を其々有する。接触部１５７及び変位部１５８は、互いに一体に形成されている。
【０１５９】
接触部１５７は、ボタン１３１のフランジ部１５２の縁部を囲むとともに、フランジ部１５２が設けられた露出部１５１の端部を覆う。接触部１５７は、対応した開口部１４７Ａ，１４７Ｂの周囲で側壁１２８に液密（水密）に接する。なお、接触部１５７はこれに限らず、例えば液密よりも弱く側壁１２８に接しても良い。接触部１５７は、ボタン１３１が挿通された開口部１４７Ａ，１４７Ｂを其々覆う。これにより、図２９に示すように、キーパッド１５６Ａは、開口部１４７Ａを塞ぐ。キーパッド１５６Ｂは、開口部１４７Ｂを塞ぐ。なお、接触部１５７は、複数の開口部１４７Ａ，１４７Ｂを一体に覆っても良い。
【０１６０】
図２８に示すように、露出部１５１の端部を覆う接触部１５７の一部１５７ａは、フランジ部１５２の縁部を囲む接触部１５７の他の一部１５７ｂよりも薄い。露出部１５１の端部を覆う一部１５７ａは、フランジ部１５２の縁部を囲む一部１５７ｂよりも変形しやすい。
【０１６１】
変位部１５８は、接触部１５７の一部１５７ａに囲まれている。変位部１５８は、接触部１５７の一部１５７ａから、筐体１１５の内部に向かって突出している。変位部１５８には、ボタン１３１に向いた凹部１５８ａが設けられている。凹部１５８ａには、ボタン１３１の突部１５３の一部が位置する。なお、ボタン１３１の突部１５３は、凹部１５８ａの側面と接触して凹部１５８ａに挿入されてもよいし、凹部１５８ａの側面との間に隙間を空けて凹部１５８ａの中に挿入されてもよい。
【０１６２】
変位部１５８は、接触部１５７の一部１５７ａよりも厚い。変位部１５８がボタン１３１の突部１５３によって押されると、変位部１５８は弾性的に変位する（移動する）。すなわち、変位部１５８が突部１５３に押されることで、変位部１５８を囲む接触部１５７の一部１５７ａは弾性的に変形する。これにより、変位部１５８は、突部１５３に押された方向に変位する。変位部１５８は、変位可能（移動可能）な部分である。
【０１６３】
変位部１５８は、ボタン１３１の突部１５３と、対応したスイッチ１４１Ａ，１４１Ｂの押込部１４３との間に位置する。ボタン１３１の突部１５３は、変位部１５８に接し（面し）ている。このため、ボタン１３１が例えばユーザに押されると、突部１５３が変位部１５８を変位させ、変位部１５８が押込部１４３を押す。これにより、ボタン１３１が押されると、変位した変位部１５８からの押圧を受けてスイッチ１４１Ａ，１４１Ｂが操作される。
【０１６４】
図３０は、筐体１１５の内部から側壁１２８の周辺を示す。図３０に示すように、筐体１１５の内部には、支持部材１６１（支持部、当接部、押圧部、部品、部材、部分、モジュール、ユニット）が設けられている。本実施形態では、筐体１１５（または筐体１１５の一部）は、「第１部材」の一例である。支持部材１６１は、「第２部材」の一例である。
【０１６５】
支持部材１６１は、例えばＬ字状に曲げられた金属板である。支持部材１６１は、其々矩形状に形成された押圧部１６２（支持部、当接部、壁部、第１部分、部分）と、取付部１６３（固定部、第２部分、部分）とを有する。
【０１６６】
図２８に示すように、押圧部１６２の少なくとも一部は、側壁１２８とモジュール基板１３９との間に位置し、側壁１２８に面している。押圧部１６２は、複数のキーパッド１５６Ａ，１５６Ｂに接し（面し）、接触部１５７の一部１５７ｂに当接している。このため、図２９に示すように、キーパッド１５６Ａ，１５６Ｂの接触部１５７は、側壁１２８と押圧部１６２との間に介在する。言い換えると、押圧部１６２は、キーパッド１５６Ａ，１５６Ｂの接触部１５７よりもモジュール基板１３９に近い。
【０１６７】
図２８に示すように、押圧部１６２に、複数のキーパッド１５６Ａ，１５６Ｂの変位部１５８が其々挿入された複数の挿通口１６５（開口部、開口、穴、切欠き、凹部）が設けられている。挿通口１６５は、挿通部の一例である。図３０に示すように、複数の挿通口１６５は、押圧部１６２の長手方向に並んでいる。挿通口１６５は、変位部１５８に対応した部分から取付部１６３に延びている。変位部１５８は、挿通口１６５の中で変位できる。
【０１６８】
取付部１６３は、押圧部１６２とは交差した方向（略直交した方向）に延びている。取付部１６３は、側壁１２８から離れる方向に延びている。取付部１６３は、底壁１４６に接している。取付部１６３には、複数の切欠き部１６６が設けられている。切欠き部１６６は、其々挿通口１６５に連続している。図２８に示すように、側壁１２８に面した切欠き部１６６の縁部１６６ａは、キーパッド１５６の変位部１５８の先端よりも側壁１２８から離れている。
【０１６９】
図３０に示すように、取付部１６３から、延出部１６８（固定部、係合部）が延びている。延出部１６８は、取付部１６３の長手方向の一方の端部から、取付部１６３の長手方向に延びている。延出部１６８に、例えば円形状の軸孔１７１（係合孔、開口部、開口、孔、穴、丸穴、凹部）が設けられている。軸孔１７１は、「係合部」の一例である。図２９に示すように、押圧部１６２は、延出部１６８側に位置した端部１６２ａを有する。軸孔１７１は、押圧部１６２の端部１６２ａよりも、取付部１６３の中央部から離れている。
【０１７０】
取付部１６３には、複数の固定孔１７２（取付部、穴、貫通孔、孔、固定部）が設けられている。複数の固定孔１７２は、取付部１６３の長手方向に並んでいる。固定孔１７２は、例えば押圧部１６２に向いて延びた長穴である。なお、図３０に示すように、固定孔１７２は、切欠き部１６６に連続してもよく、また切欠きであっても良い。延出部１６８に最も近い固定孔１７２は、延出部１６８から最も遠い固定孔１７２よりも短い長穴である。
【０１７１】
底壁１４６には、支持部１７４（係合部、引掛け部、仮留部、ガイド部）が設けられている。支持部１７４は、複数の突出部１７６，１７７（突起、支持突起、支持部、ピン、凸部、挿通部）を有する。突出部１７６，１７７は、底壁１４６からそれぞれ突出している。一つの突出部１７６は、軸孔１７１に挿通される。複数の突出部１７７は、複数の固定孔１７２に挿通される。言い換えると、突出部１７６，１７７は、軸孔１７１および固定孔１７２に係合されて（係って）いる。
【０１７２】
軸孔１７１および固定孔１７２に挿通された突出部１７６，１７７は、取付部１６３に溶着される。すなわち、突出部１７６，１７７の先端部が加熱して潰され、底壁１４６とは反対側から取付部１６３に面する。これにより、取付部１６３は、底壁１４６に固定される。なお、取付部１６３はこれに限らず、例えばネジによって底壁１４６に固定されてもよい。
【０１７３】
図３０に示すように、側壁１２８には、固定部１８１（取付部、押圧部、部分）が設けられている。固定部１８１は、第１嵌合部１８２（第１固定部、第１係合部、第１支持部、第１保持部）と、第２嵌合部１８３（第２固定部、第２係合部、第２支持部、第２保持部）とを有する。第１および第２の嵌合部１８２，１８３は、一対の嵌合部の一例である。
【０１７４】
図２９に示すように、第１嵌合部１８２は、基部１８５（第１部分）と、爪部１８６（第２部分、係り部、係合部、フック、押さえ部、支持部）とを有する。基部１８５は、側壁１２８から筐体１１５の内側に突出している。基部１８５は、押圧部１６２の一方の端部１６２ａに接している。爪部１８６は、基部１８５の先端から、側壁１２８に沿って第２嵌合部１８３に向かって延びている。キーパッド１５６Ａの接触部１５７および支持部材１６１の押圧部１６２は、側壁１２８と爪部１８６との間に挟まれる。これにより、キーパッド１５６Ａの接触部１５７は、側壁１２８と押圧部１６２との間で変形（圧縮変形）される。
【０１７５】
第２嵌合部１７８は、基部１８７と、爪部１８８とを有している。基部１８７は、側壁１２８から筐体１１５の内側に突出している。基部１８７は、押圧部１６２の他方の端部１６２ｂに接している。基部１８７は、弾性変形可能に形成されている。爪部１８８は、基部１８７の先端から、側壁１２８に沿って第１嵌合部１８２に向かって延びている。キーパッド１５６Ｂの接触部１５７および支持部材１６１の押圧部１６２は、側壁１２８と爪部１８８との間に挟まれる。これにより、キーパッド１５６Ｂの接触部１５７は、側壁１２８と押圧部１６２との間で変形（圧縮変形）される。
【０１７６】
押圧部１６２は、第１および第２の嵌合部１８２，１８３の間に挟まれている。キーパッド１５６Ａ，１５６Ｂの接触部１５７および支持部材１６１の押圧部１６２は、側壁１２８と爪部１８６，１８８との間に挟まれる。これにより、固定部１８１が支持部材１６１を固定し、押圧部１６２がキーパッド１５６Ａ，１５６Ｂの接触部１５７を側壁１２８に押圧する。
【０１７７】
以下に、図３１を参照して、支持部材１６１の取付方法の一例について説明する。なお、支持部材１６１の取付方法は以下の方法に限らない。
【０１７８】
まず、ボタン１３１に、対応するキーパッド１５６Ａ，１５６Ｂを其々取り付ける。すなわち、ボタン１３１の突部１５３を変位部１５８の凹部１５８ａに挿入し、フランジ部１５２の縁部を接触部１５７の一部１５７ｂで囲む。
【０１７９】
次に、筐体１１５の内側から、開口部１４７Ａ，１４７Ｂにボタン１３１を其々取り付ける。ボタン１３１の露出部１５１を開口部１４７Ａ，１４７Ｂに挿通すると、フランジ部１５２が側壁１２８に接する。ボタン１３１に取り付けられたキーパッド１５６Ａ，１５６Ｂの接触部１５７が、側壁１２８の内面に接する。
【０１８０】
キーパッド１５６Ａの接触部１５７は、側壁１２８と、第１嵌合部１８２の爪部１８６との間に位置する。キーパッド１５６Ｂの接触部１５７は、側壁１２８と、第２嵌合部１８３の爪部１８８との間に位置する。これにより、キーパッド１５６Ａ，１５６Ｂは爪部１８６，１８８によって仮留めされる。
【０１８１】
次に、支持部材１６１を筐体１１５に取り付ける。図３１に矢印Ｄで示すように、支持部材１６１を底壁１４６に対して交差した方向（例えば略垂直した方向）に移動させる。言い換えると、リアカバー１３６が開口する方向から、支持部材１６１を底壁１４６に近づける。これにより、支持部材１６１の軸孔１７１および固定孔１７２に、突出部１７６，１７７が挿入され、取付部１６３が底壁１４６に当接する。このとき、押圧部１６２の一方の端部１６２ａは第１嵌合部１８２に係合される。すなわち、押圧部１６２の一方の端部１６２ａが側壁１２８と爪部１８６との間に挿入される。
【０１８２】
一方、押圧部１６２の他方の端部１６２ｂは第２の嵌合部１８３から外れている。言い換えると、支持部材１６１は、側壁１２８に対して傾斜した状態で底壁１４６に近付けられる。このため、押圧部１６２とキーパッド１５６Ａ，１５６Ｂとの間に隙間がある。
【０１８３】
取付部１６３には、挿通口１６５に連続する切欠き部１６６が設けられている。このため、移動する支持部材１６１は、キーパッド１５６Ａ，１５６Ｂの変位部１５８を避ける。これにより、支持部材１６１を底壁１４６に向かって容易に近付けることができる。以上のように、支持部材１６１は、側壁１２８から離れた第１位置Ｐ１に仮置き（仮留め）される。
【０１８４】
次に、図３１の矢印Ｔ１で示すように、軸孔１７１（係合部）に挿通された突出部１７６（支持部）を軸として、側壁１２８に向かって支持部材１６１を回動させる。すなわち、支持部材１６１を第１位置Ｐ１から、該第１位置Ｐ１よりも側壁１２８に近付く第２位置Ｐ２に移動させる。突出部１７７が挿通された固定孔１７２が、押圧部１６２に向かって延びる長円状に形成されるため、支持部材１６１は回動可能である。支持部材１６１が回動する方向は、側壁１２８と交差する方向である。すなわち、支持部１７４は、支持部材１６１が側壁１２８と交差する方向に回動可能に支持部材１６１と係合する。
【０１８５】
支持部材１６１が回動すると、押圧部１６２の端部１６２ｂが第２嵌合部１８３を乗り越える。例えば、押圧部１６２の端部１６２ｂが第２嵌合部１８３を押圧することで、第２嵌合部１８３の基部１８７が弾性変形する。基部１８７が弾性変形した第２嵌合部１８３が押圧部１６２を避けることで、回動する押圧部１６２の端部１６２ｂがキーパッド１５６Ｂに接する。これにより、押圧部１６２の端部１６２ｂがキーパッド１５６Ｂの接触部１５７と第２の嵌合部１８３の爪部１８８とに挟まれる。
【０１８６】
上記のように押圧部１６２の端部１６２ｂが第２嵌合部１８３に嵌合することで、押圧部１６２が固定部１８１に固定される。これにより、押圧部１６２がキーパッド１５６Ａ，１５６Ｂの接触部１５７を側壁１２８に押圧する。すなわち、支持部材１６１が第１位置Ｐ１から第２位置Ｐ２に移動される間に、キーパッド１５６Ｂの接触部１５７は、側壁１２８と押圧部１６２との間に挟まれて、側壁１２８と押圧部１６２との間で変形（圧縮変形）される。
【０１８７】
次に、軸孔１７１及び固定孔１７２に挿通された突出部１７６，１７７を、取付部１６３に溶着する。これにより、取付部１６３が底壁１４６に固定され、支持部材１６１が強固に筐体１１５に固定される。すなわち、支持部材１６１は、第２位置Ｐ２で筐体１１５に固定（本固定）される。
【０１８８】
前記構成のテレビジョン受像機１１０によれば、上記第１実施形態と同様に、組立性の向上及び小型化を図ることができる。例えば本実施形態では、開口部１４７Ａ，１４７Ｂを覆うキーパッド１５６Ａ，１５６Ｂが、支持部材１６１によって側壁１２８に向かって押圧される。これにより、筐体１１５の内部に水のような液体や、砂塵が侵入することを抑制することができる。
【０１８９】
支持部材１６１がキーパッド１５６Ａ，１５６Ｂを押圧するため、スイッチ１４１Ａ，１４１Ｂが実装されるモジュール基板１３９の位置は、キーパッド１５６Ａ，１５６Ｂに対して自由となる。これにより、例えばモジュール基板１３９のような基板によってキーパッド１５６Ａ，１５６Ｂを押さえたり、開口部１４７Ａ，１４７Ｂが設けられる位置で筐体１１５を分割したりする必要がなくなる。このため、テレビジョン受像機１１０の設計自由度が向上する。
【０１９０】
ボタン１３１がユーザに押されると、ボタン１３１にかかる押圧力が支持部材１６１に作用する。該押圧力が支持部材１６１に受け止められるため、モジュール基板１３９が外力を受けて損傷することを抑制できる。
【０１９１】
モジュール基板１３９は、側壁１２８と交差するように配置される。言い換えると、モジュール基板１３９は、底壁１４６に面している。これにより、モジュール基板１３９を底壁１４６と略平行に筐体１１５に取り付けることができ、テレビジョン受像機１１０の組み立てが容易になる。
【０１９２】
押圧部１６２には、キーパッド１５６Ａ，１５６Ｂの変位部１５８の一部が挿通される挿通口１６５が設けられている。これにより、モジュール基板１３９に実装されたスイッチ１４１Ａ，１４１Ｂとキーパッド１５６Ａ，１５６Ｂの接触部１５７との間に押圧部１６２を介在させたとしても、変位部１５８がスイッチ１４１Ａ，１４１Ｂを押すことができる。
【０１９３】
固定部１８１の嵌合部１８２，１８３は、基部１８５，１８７と爪部１８６，１８８とを有している。これにより、支持部材１６１の固定にネジが不要となり、テレビ１１０の部品点数および製造コストを低減できる。さらに、狭いスペースに支持部材１６１を取り付けることができて設計自由度が向上するとともに、テレビ１１０の組み立てが容易になる。
【０１９４】
支持部１７４は、支持部材１６１が側壁１２８と交差する方向に移動可能に支持部材１６１と係合する。これにより、支持部材１６１の取り付けが容易となる。さらに、支持部材１６１を取り付ける際に、キーパッド１５６Ａ，１５６Ｂが座屈することを抑制できる。
【０１９５】
詳しく説明すると、支持部材１６１を底壁１４６に対して略垂直に移動させるときに支持部材１６１がキーパッド１５６Ａ，１５６Ｂに接触していると、キーパッド１５６Ａ，１５６Ｂが支持部材１６１に押圧されたり、引っ張られたりする。しかし、本実施形態の支持部材１６１は、押圧部１６２とキーパッド１５６Ａ，１５６Ｂとの間に隙間が生じるように底壁１４６に近づけられた後、回動して固定部１８１に固定できる。このため、キーパッド１５６Ａ，１５６Ｂが支持部材１６１に押圧されたり、引っ張られたりすることを抑制できる。したがって、キーパッド１５６Ａ，１５６Ｂが座屈することを抑制できる。
【０１９６】
支持部材１６１の延出部１６８に、軸孔１７１が設けられている。支持部材１６１は、軸孔１７１に挿通された突出部１７６を軸に回動できる。これにより、支持部材１６１を固定部１８１に取り付ける際にぶれることを抑制できる。
【０１９７】
固定部１８１に固定された一つの支持部材１６１が、複数のキーパッド１５６Ａ，１５６Ｂを側壁１２８に押圧する。これにより、部品点数および工程を低減でき、製造コストを低減できる。
【０１９８】
開口部１４７Ａ，１４７Ｂは、側壁１２８に設けられている。このように、本実施形態のテレビジョン受像機１１０によれば、筐体１１５の側壁であっても、浸水が抑制されたボタン１３１を設けることができる。なお、開口部１４７Ａ，１４７Ｂは側壁１２８に限らず、例えば底壁１４６に設けられてもよい。この場合、支持部材１６１の押圧部１６２は底壁１４６に面し、取付部１６３は例えば側壁１２８に取り付けられる。すなわち、開口部１４７Ａ，１４７Ｂの配置が自由であり、テレビ１１０の設計自由度が向上する。
【０１９９】
ボタン１３１を開口部１４７Ａ，１４７Ｂに取り付ける際、キーパッド１５６Ａ，１５６Ｂは第１および第２の嵌合部１８２，１８３の爪部１８６，１８８によって仮留めされる。これにより、テレビジョン受像機１１０の組み立てが容易になる。
【０２００】
以下に、第７乃至第１０の実施形態を示す。これらの実施形態でも、支持部材１６１は、側壁１２８から離れた第１位置Ｐ１に仮置き（仮留め）されて支持部１７４に支持される。支持部材１６１は、支持部１７４に支持された状態で、第１位置Ｐ１から、第１位置Ｐ１よりも側壁１２８に近付く第２位置Ｐ２に移動され、第２位置Ｐ２で筐体１１５に固定（本固定）される。
【０２０１】
（第７実施形態）  
次に、図３２を参照して、第７実施形態に係るテレビジョン受像機１１０を説明する。なお、第６実施形態の構成と同一または類似の機能を有する構成は、同一の符号を付してその説明を省略する。また、下記に説明する以外の構成は、第６実施形態と同じである。
【０２０２】
図３２に示すように、第７実施形態に係る支持部材１６１は、平坦な金属板によって形成されている。底壁１４６に面した支持部材１６１の下端部は、凹部１９１（係合部、切欠き、溝、窪み、スリット）が設けられている。
【０２０３】
底壁１４６には、凹部１９１に対応する凸部１９２（ガイド、案内部、突起、リブ、突出部）が設けられている。凸部１９２は、底壁１４６から側壁１２８に亘るリブである。凸部１９２は、支持部材１６１が側壁１２８と交差する方向に回動可能なように、支持部材１６１の凹部１９１に係合している。
【０２０４】
支持部材１６１は、例えば以下のように固定部１８１に取り付けられる。まず、支持部材１６１の凹部１９１に凸部１９２を係合させるとともに、押圧部１６２の一方の端部１６２ａを第１嵌合部１８２に係合させる。次に、第１嵌合部１８２に係合した押圧部１６２の端部１６２ａを軸に、支持部材１６１を回動させる。押圧部１６２の他方の端部１６２ｂが第２嵌合部１８３を乗り越えて、第２嵌合部１８３の爪部１８８とキーパッド１５６Ｂの接触部１５７との間に挟まれる。これにより、支持部材１６１が固定部１８１に固定される。
【０２０５】
前記構成のテレビジョン受像機１１０によれば、平坦な板状に形成された支持部材１６１によって、キーパッド１５６Ａ，１５６Ｂを側壁１２８に押圧することができる。これにより、支持部材１６１を小型化でき、テレビジョン受像機１１０の材料費を低減できる。さらに、筐体１１５の内部の空間を広く確保することができ、設計自由度が向上する。
【０２０６】
（第８実施形態）  
次に、図３３を参照して、第８実施形態に係るテレビジョン受像機１１０を説明する。なお、第６実施形態の構成と同一または類似の機能を有する構成は、同一の符号を付してその説明を省略する。また、下記に説明する以外の構成は、第６実施形態と同じである。
【０２０７】
図３３に示すように、本実施形態では、一対の支持部１７４が底壁１４６に設けられている。一対の支持部１７４は、底壁１４６から突出した基部１９５（第１部分）と、基部１９５から側壁１２８に向かって延びた爪部１９６（第２部分、係り部）とを其々有する。一対の支持部１７４は、支持部材１６１の取付部１６３の長手方向の両端部に其々接している。言い換えると、一対の支持部１７４の間に、取付部１６３が挟まれている。
【０２０８】
支持部材１６１の取付部１６３は、一対の軸部１９７（係合部）を有している。一対の軸部１９７は、例えば押圧部１６２から離れた取付部１６３の端部に其々設けられる。一対の軸部１９７は、取付部１６３の長手方向の両端部から、取付部１６３の長手方向にそれぞれ延びている。軸部１９７は、係合部１７４に係合している。
【０２０９】
本実施形態において、第１および第２の嵌合部の基部１８５，１８７は、ともに弾性変形可能に形成されている。すなわち、支持部材１６１の押圧部１６２は、第１の嵌合部１８２を乗り越えることができるとともに、第２嵌合部１８３を乗り越えることもできる。
【０２１０】
支持部材１６１は、例えば以下のように固定部１８１に取り付けられる。まず、取付部１６３の軸部１９７を、係合部１７４に係合させる。次に、図３３の矢印Ｔ２に示すように、軸部１９７を軸として支持部材１６１を回動させる。支持部材１６１の押圧部１６２の両端部１６２ａ，１６２ｂが、第１および第２の嵌合部１８２，１８３を其々乗り越える。これにより、第１嵌合部１８２の爪部１８６とキーパッド１５６Ａの接触部１５７との間に、押圧部１６２の一方の端部１６２ａが挟まれる。また、第２嵌合部１８３の爪部１８８とキーパッド１５６Ｂの接触部１５７との間に、押圧部１６２の他方の端部１６２ｂが挟まれる。したがって、支持部材１６１が固定部１８１に固定される。
【０２１１】
前記構成のテレビジョン受像機１１０によれば、底壁１４６に設けられた係合部１７４に係合する取付部１６３の軸部１９７を軸として、支持部材１６１が回動する。これにより、支持部材１６１とキーパッド１５６Ａ，１５６Ｂとが離れた状態で、支持部材１６１を係合部１７４に係合させることができる。したがって、支持部材１６１によってキーパッド１５６Ａ，１５６Ｂが座屈することを抑制できる。
【０２１２】
（第９実施形態）  
次に、図３４を参照して、第９実施形態に係るテレビジョン受像機１１０を説明する。なお、第６実施形態の構成と同一または類似の機能を有する構成は、同一の符号を付してその説明を省略する。また、下記に説明する以外の構成は、第６実施形態と同じである。
【０２１３】
図３４に示すように、本実施形態では、底壁１４６に支持部１７４が設けられている。第９実施形態に係る支持部１７４は、複数の突出部１７７を有している。第８の実施形態と同様に、本実施形態において、第１および第２の嵌合部１８２，１８３の基部１８５，１８７は、ともに弾性変形可能に形成されている。
【０２１４】
支持部材１６１は、例えば以下のように固定部１８１に取り付けられる。まず、支持部材１６１をキーパッド１５６Ａ，１５６Ｂから離した状態で、支持部材１６１を底壁１４６に対して略垂直に移動させる。これにより、支持部材１６１の固定孔１７２に、突出部１７７が挿入され、取付部１６３が底壁１４６に当接する。
【０２１５】
次に、図３４の矢印Ｓに示すように、長円状の固定孔１７２に沿って、支持部材１６１を側壁１２８に略直交する方向に移動させる。支持部材１６１の押圧部１６２の両端部１６２ａ，１６２ｂが、第１および第２の嵌合部１８２，１８３を其々乗り越える。これにより、第１嵌合部１８２の爪部１８６とキーパッド１５６Ａの接触部１５７との間に、押圧部１６２の一方の端部１６２ａが挟まれる。また、第２嵌合部１８３の爪部１８８とキーパッド１５６Ｂの接触部１５７との間に、押圧部１６２の他方の端部１６２ｂが挟まれる。したがって、支持部材１６１が固定部１８１に固定される。
【０２１６】
前記構成のテレビジョン受像機１１０によれば、支持部材１６１を側壁１２８に略直交した方向に移動させることで、支持部材１６１を固定部１８１に固定できる。これにより、テレビジョン受像機１１０の構造が簡単になり、製造コストが低減する。
【０２１７】
支持部材１６１は、キーパッド１５６Ａ，１５６Ｂから離れた状態で、底壁１４６に対して移動できる。これにより、支持部材１６１がキーパッド１５６Ａ，１５６Ｂを座屈させることを抑制できる。
【０２１８】
（第１０実施形態）  
次に、図３５及び図３６を参照して、第１０実施形態に係る電子機器を説明する。なお、第６実施形態の構成と同一または類似の機能を有する構成は、同一の符号を付してその説明を省略する。また、下記に説明する以外の構成は、第６実施形態と同じである。
【０２１９】
図３５は、第１０実施形態に係るスレートコンピュータ（パーソナルコンピュータ、タブレットＰＣ）２０１を分解して示す。スレートコンピュータ２０１は、「電子機器」の一例である。
【０２２０】
図３５に示すように、スレートコンピュータ２０１は、筐体１１５を備えている。筐体１１５は、筐体１１５の前面１２１を形成するフロントカバー１３５と、リアカバー１３６とを有している。リアカバー１３６は、筐体１１５の側面を形成する側壁１２８と、筐体１１５の背面を形成する底壁１４６と、筐体１１５の他方の側面を形成する他の側壁２０３とを有している。
【０２２１】
図３６に示すように、側壁１２８には、例えば電源ボタンおよび音量調節ボタンのような複数のボタン１３１が設けられている。第６実施形態と同様に、ボタン１３１は側壁１２８に設けられた開口部１４７Ａ，１４７Ｂに挿通されており、該開口部１４７Ａ，１４７Ｂはキーパッド１５６Ａ，１５６Ｂに塞がれている。キーパッド１５６Ａ，１５６Ｂは、支持部材１６１の押圧部１６２によって、側壁１２８に押圧されている。
【０２２２】
図３５に示すように、他の側壁２０３は、側壁１２８の反対側に位置している。他の側壁２０３に、複数の開口部２０４が設けられている。開口部２０４にそれぞれ対応して、筐体１１５の内部に複数のスピーカー２０５が収容されている。スピーカー２０５は、筐体１１５の内側から他の側壁２０３に当接し、対応する開口部２０４を塞いでいる。
【０２２３】
前記構成のスレートコンピュータ２０１によれば、第６実施形態と同様に、開口部１４７Ａ，１４７Ｂを覆うキーパッド１５６Ａ，１５６Ｂが、支持部材１６１によって側壁１２８に押圧される。これにより、筐体１１５の内部に水のような液体や、砂塵が侵入することを抑制できる。
【０２２４】
キーパッド１５６Ａ，１５６Ｂの変位部１５８に押されるスイッチ１４１Ａ，１４１Ｂが実装されるモジュール基板１３９の位置は、キーパッド１５６Ａ，１５６Ｂに対して自由となる。これにより、例えばモジュール基板１３９のような基板によってキーパッド１５６Ａ，１５６Ｂを押さえたり、開口部１４７Ａ，１４７Ｂが設けられる位置で筐体１１５を分割したりする必要がなくなる。したがって、スレートコンピュータ２０１の設計自由度が向上する。
【０２２５】
以上説明した実施形態によれば、電子機器の組立性の向上及び電子機器の小型化を図ることができる。なお、上記説明した全ての実施形態に係る全ての部品や部材（全ての技術思想）は、互いに組み合わせて実施可能である。
【０２２６】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に亘る構成要素を適宜組み合わせてもよい。
以下、いくつかのテレビジョン受像機を付記する。
[１]、(i)底面を含む溝が周縁部に設けられた第１部材と、(ii)前記第１部材に取り付けられて前記溝を覆う第２部材と、(iii)前記溝に取り付けられ、前記第１部材の周縁部に沿う環状のパッキング部と、該パッキング部に部分的に設けられて前記溝の底面と略平行に突出した複数の突出部とを有し、該突出部と前記溝の底面との間に隙間が設けられ、前記パッキング部が前記第１部材と前記第２部材との間に挟まれたシーリング部材と、(iv)前記第２部材に設けられ、前記溝の底面とは反対側から前記突出部に面した支持部と、を有したテレビジョン受像機。
[２]、[１]の記載において、前記複数の突出部は、前記パッキング部の内周面から前記パッキング部の内側に突出したテレビジョン受像機。
[３]、[１]または[２]の記載において、前記パッキング部は、前記溝の底面に接する第１端部と、前記第２部材に接する第２端部とを有し、前記突出部は、前記第２端部との間に段差部を有し、前記第２端部よりも前記溝の底面の近くに位置したテレビジョン受像機。
[４]、[３]の記載において、前記支持部は、前記突出部に対応した位置に部分的に設けられて前記第２部材から前記突出部に向いて突出した突起であるテレビジョン受像機。
[５]、[４]の記載において、前記突起の先端部は、前記溝の内部に入り込み、前記溝の内部で前記突出部に面したテレビジョン受像機。
[６]、[５]の記載において、前記パッキング部の第２端部は、前記第２部材に近付くに従い細くなる楔形に設けられたテレビジョン受像機。
[７]、[１]または[６]の記載において、前記パッキング部は、該パッキング部の形状が直線状から変化した経路変化部を有し、前記複数の突出部は、前記経路変化部の両側に分かれて位置したテレビジョン受像機。
[８]、(i)第１部材と、(ii)前記第１部材に第１方向から取り付けられた第２部材と、(iii)線状のパッキング部と、該パッキング部の延びた方向に分かれて設けられて前記第１方向とは交差した第２方向に突出した複数の突出部とを有し、前記パッキング部が前記第１部材と前記第２部材との間に挟まれた弾性部と、(iv)前記第２部材に設けられ、前記第１部材とは反対側から前記突出部に面した支持部と、を有したテレビジョン受像機。
[９]、[８]の記載において、前記突出部と前記第１部材との間には、隙間が設けられたテレビジョン受像機。
[１０]、(i)パッキング部と、該パッキング部に部分的に設けられた突出部とを有した弾性部と、(ii)前記突出部に面した第１部分を有した第１部材と、(iii)前記第１部分とは反対側から前記突出部に面した第２部分を有し、前記第１部材との間に前記パッキング部が挟まれた第２部材と、を有したテレビジョン受像機。
【符号の説明】
【０２２７】
Ｐ１…第１位置、Ｐ２…第２位置、Ｃ１…隙間、Ｃ２…隙間、１…テレビジョン受像機、４…筐体、６…回路基板、１１…底壁（第１壁）、１２…側壁（第２壁）、１７…シーリング部材、１８…溝、１８ａ…底面、２１…パッキング部、２１ａ…第１端部、２１ｂ…第２端部、２２…突出部、２８…コーナー部（経路変化部）、３０…屈折部（経路変化部）、３１…係合部、３３…支持部、４２…開口部、５０…シーリング部（弾性部）、５１…第１支持部、５２…第２支持部、５７…スピーカモジュール（部品）、６１…第１係合部、６２…第２係合部、６４…穴、６５，６７…固定部材。
【図１】
0005342030.tif 000002
【図２】
0005342030.tif 000003
【図３】
0005342030.tif 000004
【図４】
0005342030.tif 000005
【図５】
0005342030.tif 000006
【図６】
0005342030.tif 000007
【図７】
0005342030.tif 000008
【図８】
0005342030.tif 000009
【図９】
0005342030.tif 000010
【図１０】
0005342030.tif 000011
【図１１】
0005342030.tif 000012
【図１２】
0005342030.tif 000013
【図１３】
0005342030.tif 000014
【図１４】
0005342030.tif 000015
【図１５】
0005342030.tif 000016
【図１６】
0005342030.tif 000017
【図１７】
0005342030.tif 000018
【図１８】
0005342030.tif 000019
【図１９】
0005342030.tif 000020
【図２０】
0005342030.tif 000021
【図２１】
0005342030.tif 000022
【図２２】
0005342030.tif 000023
【図２３】
0005342030.tif 000024
【図２４】
0005342030.tif 000025
【図２５】
0005342030.tif 000026
【図２６】
0005342030.tif 000027
【図２７】
0005342030.tif 000028
【図２８】
0005342030.tif 000029
【図２９】
0005342030.tif 000030
【図３０】
0005342030.tif 000031
【図３１】
0005342030.tif 000032
【図３２】
0005342030.tif 000033
【図３３】
0005342030.tif 000034
【図３４】
0005342030.tif 000035
【図３５】
0005342030.tif 000036
【図３６】
0005342030.tif 000037